(57)【特許請求の範囲】
【請求項１】
伸縮性を有する非導電性素材で形成された生体情報計測用衣服であって、
前記生体情報計測用衣服は、
衣服前面中央部付近から衣服左縁付近において、衣服身丈方向に５ｃｍ（センチメートル）以上３０ｃｍ以下の長さを有する、被験者が装着した際に胸部付近の心電位を取得して心電図解析装置へ伝達可能な導電性素材で形成した胸部誘導電極部が配置されており、
当該胸部誘導電極部の全ては、前記衣服身丈方向における同じ高さ範囲に設けられていること、
を特徴とする生体情報計測用衣服。
【請求項２】
非導電性素材で形成された生体情報計測用衣服であって、
前記生体情報計測用衣服は、
被験者が装着した際に被験者の胸部の体表を覆う長さを有することによって、心臓位置の変動にも拘わらず胸部付近の心電位を筋電の影響が少ない状態で取得して心電図解析装置へ伝達可能な導電性素材で形成した胸部誘導電極部が、被験者の胸骨前部付近から左胸側部付近の間に配置されており、
当該胸部誘導電極部の全ては、前記衣服身丈方向における同じ高さ範囲に設けられていること、
を特徴とする生体情報計測用衣服。
【請求項３】
請求項１または２の生体情報計測用衣服において、
前記生体情報計測用衣服は、被験者の上半身用のシャツであり、
そのシャツは、さらに、
少なくとも、被験者の鎖骨付近の体表または被験者の骨盤付近の体表を覆う面積を有し、かつ、生体から発生する電位を取得して前記心電図解析装置へ伝達可能な導線性素材で形成した四肢誘導電極部、
を備えたことを特徴とする生体情報計測用衣服。
【請求項４】
請求項１〜３のいずれかの前記生体情報計測用衣服において、さらに、
前記胸部誘導電極部に加えて、被験者の胸骨前部付近から右胸側部付近に向かう位置、または被験者の左胸側部付近から背中に向かう位置に、少なくとも１以上の前記胸部誘導電極部を備えたこと、
を特徴とする生体情報計測用衣服。
【請求項５】
請求項１〜４のいずれかの生体情報計測用衣服において、
被験者の呼吸動作による体格変動に伴って形状が変化することにより、通電状態において電気抵抗値が変化する導電性部材を含み、その電気抵抗値の変化に基づく電気情報を呼吸情報解析装置へ伝達可能な呼吸情報計測センサ部が配置されたこと、
を特徴とする生体情報計測用衣服。
【請求項６】
請求項５の生体情報計測用衣服において、
前記呼吸情報計測センサ部は、さらに、
前記生体情報計測用衣服における少なくとも胸回りまたは腹回りに配置され、被験者の呼吸動作による体格変動に伴う伸縮を通じて前記導電性部材の断面積または長さが変化することによって電気抵抗値が変化すること、
を特徴とする生体情報計測用衣服。
【請求項７】
請求項５または６の生体情報計測用衣服において、
前記呼吸情報計測センサ部は、
前記導電性部材における被験者体表への対向面およびその反対面を非導線性素材で覆うことによって、被験者に対して前記通電状態による電気的影響を少なくしたこと、
を特徴とする生体情報計測用衣服。
【請求項８】
請求項５〜７のいずれかの生体情報計測用衣服において、
前記呼吸情報計測センサ部の導電性部材は、前記生体情報計測用衣服において、少なくとも被験者の胸部付近に巻き付く位置または腹部付近に巻き付く位置を含む複数箇所に配置されること、
を特徴とする生体情報計測用衣服。
【請求項９】
請求項１〜８のいずれかの前記生体情報計測用衣服と、
前記心電図解析装置とを備えた生体情報計測システムであって、
前記心電図解析装置は、
複数の前記胸部誘導電極部から伝達される電位に基づく電位情報を取得する電位情報取得手段、
前記取得した複数の電位情報の振幅を比較する電位情報比較手段、
前記電位情報比較手段による比較結果に基づき、心電図の出力の基礎にする電位情報として前記振幅が大きい前記胸部誘導電極部を選択する電位情報選択手段、
前記選択された前記胸部誘導電極部の電位情報を解析して心電図データを出力する心電図解析出力手段、
を備えたことを特徴とする生体情報計測システム。
【発明の詳細な説明】
【関連出願】
【０００１】
日本国特許出願２００４−８６１１０号（２００４年３月２４日出願）の明細書、特許請求の範囲、図面および要約を含む全開示内容は、本出願内容に合体される。
【技術分野】
【０００２】
この発明は、生体情報計測用衣服、生体情報計測システムおよび生体情報計測装置、および装置制御方法に関するものである。特に、簡易な構成でありながら、被験者の体格等の相違にもかかわらず精度良く生体情報を計測することに関する発明である。
【背景技術】
【０００３】
心電図記録を含めた生体情報の計測は、被験者が安静な状態にあるときに行われるのが一般的である。例えば心電図の計測の場合、被験者は診察台の上に仰向けになって安静にする。測定者は、被験者の胸部、手首、足首のそれぞれにｅｌｅｃｔｒｏｃａｒｄｉｏｇｒａｍ（ＥＣＧ）電極を吸着した後、心電図計測装置によって心電図を記録する。このようなＥＣＧ電極の吸着等による計測方法では、例えば計測準備の手間や、電極吸着による不快感等が生じてしまい、被験者に与える負荷が大きくなるのが一般的である。
【０００４】
被験者に与える負荷を抑え、かつ、必要な生体情報を得ることを可能にするものとして、例えば、生体電気信号を記録器に伝達するための導電性部材を被服に縫合したＴシャツ着衣型被服に関する技術がある（例えば、特許文献１参照）。
【先行技術文献】
【特許文献】
【０００５】
【特許文献１】特開２００２−１５９４５８（第１図）。
【発明の概要】
【発明が解決しようとする課題】
【０００６】
上記特許文献１に開示されている従来技術によれば、生体情報の計測時においても被験者に与える負荷を抑えることができる点で有益である。
【０００７】
しかしながら、特許文献１に開示されている従来技術においては、被験者に与える負荷の抑制を考慮するにすぎない。一方、生体情報の計測については、個々の被験者によって体格が相違するのが一般であるから、そのような相違が原因で生体情報の計測感度が低くなる可能性も考慮しなければならない。また、被験者の体動が大きい場合（例えば運動時等）には、計測感度の低下がより一層大きくなることが予想される。
【０００８】
本発明は、上記のような問題点に鑑みて、簡易な構成でありながら、被験者の体格等の相違にもかかわらず精度良く生体情報を計測することを可能とする、生体情報計測用衣服、生体情報計測システムおよびその方法を提供することを目的とする。
【課題を解決するための手段】
【０００９】
１）本発明の生体情報計測用衣服は、
被験者の上半身に密着する程度の伸縮性を有する非導電性素材で形成された生体情報計測用衣服であって、
前記生体情報計測用衣服は、
被験者が装着した際には、被験者の第４肋骨付近の体表から第６肋骨付近の体表までを覆う長さを有することによって心臓位置の変動にも拘わらず胸部付近の心電位を筋電の影響が少ない状態で取得して心電図解析装置へ伝達可能な導電性素材で形成した胸部誘導電極部が、被験者の胸骨前部付近に接する位置から左胸側部付近に接する位置の間の少なくとも６箇所に配置されること、
を特徴としている。
【００１０】
これらの特徴により、前記生体情報計測用衣服は、前記胸部誘導電極部を介して、心臓位置の変動にも拘わらず胸部付近の心電位を筋電の影響が少ない状態で取得して心電図解析装置へ伝達することができる。
【００１１】
２）本発明の生体情報計測用衣服は、
伸縮性を有する非導電性素材で形成された生体情報計測用衣服であって、
前記生体情報計測用衣服は、
衣服前面中央部付近から衣服左縁付近において、衣服身丈方向に５ｃｍ（センチメートル）以上３０ｃｍ以下の長さを有する、被験者が装着した際に胸部付近の心電位を取得して心電図解析装置へ伝達可能な導電性素材で形成した胸部誘導電極部が配置されていること、
を特徴としている。
【００１２】
これらの特徴により、前記生体情報計測用衣服は、前記導電性素材を介して、被験者（または「被検者」、以下同様）が装着した際に胸部付近の心電位を取得して心電図解析装置へ伝達することができる。
【００１３】
３）本発明の生体情報計測用衣服は、
非導電性素材で形成された生体情報計測用衣服であって、
前記生体情報計測用衣服は、
被験者が装着した際に被験者の胸部の体表を覆う長さを有することによって、心臓位置の変動にも拘わらず胸部付近の心電位を筋電の影響が少ない状態で取得して心電図解析装置へ伝達可能な導電性素材で形成した胸部誘導電極部が、被験者の胸骨前部付近から左胸側部付近の間に配置されること、
を特徴としている。
【００１４】
これらの特徴により、前記生体情報計測用衣服は、前記胸部誘導電極部を介して、心臓位置の変動にも拘わらず胸部付近の心電位を筋電の影響が少ない状態で取得して心電図解析装置へ伝達することができる。
【００１５】
４）本発明の前記生体情報計測用衣服は、被験者の上半身用のシャツであり、
そのシャツは、さらに、
少なくとも、被験者の鎖骨付近の体表または被験者の骨盤付近の体表を覆う面積を有し、かつ、生体から発生する電位を取得して前記心電図解析装置へ伝達可能な導線性素材で形成した四肢誘導電極部、
を備えたことを特徴としている。
【００１６】
これらの特徴により、前記生体情報計測用衣服は、前記四肢誘導電極部を介して、被験者の鎖骨付近の体表または被験者の骨盤付近の体表から発生する電位を取得して前記心電図解析装置へ伝達することができる。
【００１７】
５）本発明の前記生体情報計測用衣服は、さらに、
前記胸部誘導電極部に加えて、被験者の胸骨前部付近から右胸側部付近に向かう位置、または被験者の左胸側部付近から背中に向かう位置に、少なくとも１以上の前記胸部誘導電極部を備えたことを特徴としている。
【００１８】
これらの特徴により、前記生体情報計測用衣服は、前記胸部誘導電極部とは別に追加された前記少なくとも１以上の前記胸部誘導電極を介して、生体から発生する電位を取得して心電図解析装置へ伝達することができる。
【００１９】
６）本発明の前記生体情報計測用衣服と前記心電図解析装置とを備えた生体情報計測システムにおいて、
前記心電図解析装置は、
複数の前記胸部誘導電極部から伝達される電位に基づく電位情報を取得する電位情報取得手段、
前記取得した複数の電位情報の振幅を比較する電位情報比較手段、
前記電位情報比較手段による比較結果に基づき、心電図の出力の基礎にする電位情報として前記振幅が大きい前記胸部誘導電極部を選択する電位情報選択手段、
前記選択された前記胸部誘導電極部の電位情報を解析して心電図データを出力する心電図解析出力手段、
を備えたことを特徴としている。
【００２０】
これらの特徴により、前記心電図解析装置は、複数の電位情報の中から、例えば検出感度が良好な位置に配置された胸部誘導電極部由来の電位情報を選択して、その電位情報に基づいて心電図データを出力することができる。
【００２１】
９）本発明の前記心電図解析出力手段は、さらに、
前記選択された電位情報の測定元となった前記胸部誘導電極部の位置を、前記生体情報計測用衣服の模式図または前記被験者の体型模式図に対応づけて表示することを特徴としている。
【００２２】
この特徴により、ユーザは、前記選択された電気情報の測定元を前記模式図に対応づけて視覚的かつ直感的に認識することができる。
【００２３】
１０）本発明の前記生体情報計測用衣服は、
被験者の呼吸動作による体格変動に伴って形状が変化することにより、通電状態において電気抵抗値が変化する導電性部材を含み、その電気抵抗値の変化に基づく電気情報を呼吸情報解析装置へ伝達可能な呼吸情報計測センサ部が配置されたことを特徴としている。
【００２４】
これらの特徴により、前記生体情報計測用衣服は、心電図の出力のためのデータに加えて、呼吸情報の出力のためのデータを取得することができる。
【００２５】
１１）本発明の前記呼吸情報計測センサ部は、さらに、
前記生体情報計測用衣服における少なくとも胸回りまたは腹回りに配置され、被験者の呼吸動作による体格変動に伴う伸縮を通じて前記導電性部材の断面積または長さが変化することによって電気抵抗値が変化することを特徴としている。
【００２６】
これらの特徴により、前記呼吸情報計測センサ部は、例えば被験者の呼吸動作による胸郭の周長、または腹回り（胴回り）の周長の物理的変化を直接検知することができ、呼吸情報の検出感度を安定にすることができる。
【００２７】
１２）本発明の前記呼吸情報計測センサ部は、
前記導電性部材における被験者体表への対向面およびその反対面を非導線性素材で覆うことによって、被験者に対して前記通電状態による電気的影響を少なくしたことを特徴としている。
【００２８】
これらの特徴により、前記生体情報計測用衣服は、前記呼吸情報の計測時における被験者に対する電気的影響を少なくすることができる。
【００２９】
１３）本発明の前記呼吸情報計測センサ部の導電性部材は、前記生体情報計測用衣服において、少なくとも被験者の胸部付近に巻き付く位置または腹部付近に巻き付く位置を含む複数箇所に配置されることと特徴としている。
【００３０】
これらの特徴により、前記生体情報計測用衣服は、胸囲長の変化および腹囲長の変化を含めた複数部位の情報に基づいて、前記被験者の呼吸動作を検出することができる。
【００３１】
１４）本発明の前記生体情報計測用衣服と前記呼吸情報解析装置とを備えた生体情報計測システムにおいて、
前記呼吸情報解析装置は、
複数の前記呼吸情報計測センサ部から伝達される電気情報を取得する電気情報取得手段、
前記取得した複数の電気情報の振幅を比較する電気情報比較手段、
前記電気情報比較手段による比較結果に基づき、呼吸情報の出力の基礎にする電気情報として前記振幅が大きい前記呼吸情報計測センサ部を選択する電気情報選択手段、
前記電気情報選択手段が選択した前記呼吸情報計測センサ部の電気情報の変動周期を判断し、その周期に基づいて呼吸情報を解析する呼吸情報解析手段、
前記解析された呼吸情報に基づいて呼吸情報データを出力する呼吸情報出力手段、
を備えたことを特徴としている。
【００３２】
これらの特徴により、前記呼吸情報解析装置は、複数の電気情報の中から、例えば検出感度が良好な位置に配置された前記呼吸情報計測センサ部由来の電気情報を選択して、その電気情報に基づいて呼吸情報データを出力することができる。
【００３３】
１７）本発明の前記呼吸情報解析手段は、さらに、
前記電気情報の変動周期に関する電気周期情報と、前記胸部誘導電極部から伝達される電位に基づく心電図のＲ波高情報の変動周期に関するＲ波高周期情報とを取得し、いずれか一方の周期情報を選択し、選択した周期情報に基づいて呼吸情報を解析することを特徴としている。
【００３４】
これらの特徴により、前記呼吸情報解析手段は、前記電気周期情報および前記Ｒ波高周期情報を含めた複数種類の情報に基づいて、前記被験者の呼吸動作を解析することができる。
【００３５】
１８）本発明の前記呼吸情報解析手段は、さらに、
前記電気情報の振幅に関する電気振幅情報と、前記Ｒ波高情報の振幅に関するＲ波高振幅情報とを取得し、前記電気振幅情報とＲ波高振幅情報との比較に基づいて前記電気情報またはＲ波高情報のいずれか一方を選択し、選択した情報の周期情報に基づいて呼吸情報を解析することを特徴としている。
【００３６】
これらの特徴により、前記呼吸情報解析手段は、前記電気周期情報および前記Ｒ波高周期情報を含めた複数種類の情報について、例えば検出感度が良好な方の情報を選択して、その周期情報に基づいて前記被験者の呼吸動作を解析することができる。
【００３７】
１９）本発明の前記呼吸情報解析手段は、さらに、
前記選択された情報の測定元となった前記胸部誘導電極部の位置、または呼吸情報計測センサ部の位置を、前記生体情報計測用衣服の模式図または前記被験者の体型模式図に対応づけて表示することを特徴としている。
【００３８】
この特徴により、ユーザは、前記選択された電気情報の測定元を前記模式図に対応づけて視覚的かつ直感的に認識することができる。
【００３９】
本発明の特徴、他の目的、用途、効果等は、図面を考慮に入れた上で以下の開示によりさらに明らかになるであろう。
【図面の簡単な説明】
【００４０】
【図１】本発明の各実施形態の概要を示す模式図である。
【図２】実施形態による生体情報計測システムの機能ブロック図である。
【図３】第１実施形態による生体情報計測システムの構成例である。
【図４】図４Ａは、第１実施形態による生体情報計測シャツの部分図である。図４Ｂは、図４ＡのＸ−Ｘ方向の部分断面を示す図である。図４Ｃは、図４ＡのＹ−Ｙ方向の部分断面を示す図である。
【図５】図５Ａは、第１実施形態による生体情報計測用シャツと被験者の体型との対応を示す模式図である。図５Ｂは、被験者が生体情報計測用シャツを着用した状態を示す図である。
【図６】記録された心電波形データを模式的にグラフによって表したものである。
【図７】第１実施形態による心電図測定結果例を示す図である。
【図８】図８Ａは、第１実施形態の生体情報計測用シャツの変形例である。図８Ｂは、第１実施形態の生体情報計測用シャツの変形例である。
【図９】第２実施形態による生体情報計測用シャツの全体図である。
【図１０】第２実施形態による心電図計測処理のフローチャートである。
【図１１】第２実施形態による心電図計測処理のフローチャートである。
【図１２】図１２Ａ、図１２Ｂ、図１２Ｃは、第２実施形態においてＣＰＵが演算したＲＳ振幅値の記録内容例を示す図である。
【図１３】図１３Ａ、図１３Ｂは、第２実施形態による心電図計測処理中のディスプレイ表示例である。
【図１４】第２実施形態の生体情報計測用シャツの変形例である。
【図１５】図１５Ａは、第３実施形態による生体情報計測シャツの部分図である。図１５Ｂは、図１５ＡのＡ−Ａ方向の部分断面を示す図である。図１５Ｃは、図１５ＡのＢ−Ｂ方向の部分断面を示す図である。
【図１６】図１６Ａは、第３実施形態による生体情報計測用シャツの全体図である。図１６Ｂは、被験者が生体情報計測用シャツを着用した状態を示す図である。
【図１７】記録された呼吸値データを模式的にグラフによって表したものである。
【図１８】第３実施形態の生体情報計測用シャツの変形例である。
【図１９】図１９Ａは、第３実施形態の生体情報計測用シャツの変形例である。図１９Ｂは、図１９ＡのＥ−Ｅ方向の部分断面を示す図である。
【図２０】第３実施形態の生体情報計測用シャツの変形例である。
【図２１】第４実施形態による生体情報計測用シャツの全体図である。
【図２２】第４実施形態による呼吸値計測処理のフローチャートである。
【図２３】第４実施形態による呼吸値計測処理のフローチャートである。
【図２４】第４実施形態による呼吸値計測処理のフローチャートである。
【図２５】図２５Ａ、図２５Ｂは、第４実施形態においてＣＰＵが演算した抵抗値周期、抵抗値振幅、Ｒ波高周期、Ｒ波高振幅等の記録内容例を示す図である。
【図２６】図２６Ａ、図２６Ｂ、図２６Ｃは、第４実施形態においてＣＰＵが演算した抵抗値（極大値、極小値等）およびＲ波高（極大値、極小値等）等の記録内容例を示す図である。
【図２７】第４実施形態による呼吸値計測処理中のディスプレイ表示例である。
【発明を実施するための形態】
【００４１】
本発明に係る「生体情報計測用衣服」または「生体情報計測システム」の実施形態を説明する。図１は、本発明の各実施形態の概要を示す模式図である。
【００４２】
「生体情報計測用衣服」の実施形態としての生体情報計測シャツは、被験者の上半身に装着されるものであり、胸部および四肢部に電極部（Ａ）と、胴回りおよび腹回りにセンサ部（Ｂ）を備えている。第１実施形態による心電図測定および第２実施形態による心電図計測処理においては、電極部（Ａ）から伝達される情報を利用する。一方、第３実施形態による呼吸値計測処理においては、センサ部（Ｂ）から伝達される情報を利用する。第４実施形態による呼吸値計測処理（心電図Ｒ波解析併用）においては、電極部（Ａ）およびセンサ部（Ｂ）の両方から伝達される情報を利用する。
【００４３】
以下、生体情報計測シャツおよびシステムに含まれる装置のハードウェア構成、特許請求の範囲に記載した用語と実施形態との対応を説明し、次に実施形態の説明等を行う。
【００４４】
目次
１．生体情報計測シャツおよびシステムの構成
２．特許請求の範囲に記載した用語と実施形態との対応
３．第１実施形態（心電図測定）
４．第２実施形態（心電図計測処理）
５．第３実施形態（呼吸値計測処理）
６．第４実施形態（呼吸値計測処理（心電図Ｒ波解析併用））
７．その他の実施形態等
−−−−−−−−−−−−−−−−−−−
−−１．生体情報計測シャツおよびシステムの構成−−
図２は、本発明に係る「生体情報計測システム」の実施形態としての計測システム１０００の機能ブロック図を示す。計測システム１０００は、生体情報計測用衣服９００、心電図解析装置７００、呼吸情報解析装置８００を備えている。
【００４５】
生体情報計測用衣服９００は、非導電性素材９０８で構成され、胸部誘導電極部９０２、四肢誘導電極部９０４、呼吸情報計測センサ部９０６を備えている。心電図解析装置７００は、胸部誘導電極部９０２および（または）四肢誘導電極部９０４から電位情報を取得する電位情報取得手段７０２、複数の電位情報を比較する電位情報比較手段７０６、電位情報に基づいて胸部誘導電極部を選択する電位情報選択手段７０４、電位情報を解析して心電図データを出力する心電図解析出力手段７０８を備えている。
【００４６】
呼吸情報解析装置８００は、呼吸情報計測センサ部９０６から電気情報を取得する電気情報取得手段８０２、複数の電気情報を比較する電気情報比較手段８０６、電気情報に基づいて呼吸情報計測センサ部を選択する電気情報選択手段８０４、電気情報に基づいて呼吸情報を解析する呼吸情報解析手段８０８、呼吸情報に基づいて呼吸情報データを出力する呼吸情報出力手段８１０を備えている。
【００４７】
図３は、図２に示す計測システム１０００における心電図解析装置７００および（または）呼吸情報解析装置８００を、ＣＰＵを用いて実現したハードウェア構成の例を示す。実施形態では、心電図解析装置７００および呼吸情報解析装置８００の機能を、例示として１つの装置（解析装置１００）で実行するものとして説明する。なお、解析装置１００は、心電図解析装置７００または呼吸情報解析装置８００のいずれか一方の機能を実行するものとしてもよい。
【００４８】
解析装置１００は、ＣＰＵ１０、増幅アンプ１１、フィルタ１９、Ａ／Ｄ変換１２、マウス／キーボード１３、ディスプレイ１４（表示装置）、スピーカ１５、メモリ１６、Ｆｌａｓｈ−ＲＯＭ１７（フラッシュメモリ等の、記憶したデータを電気的に消去できる書き換え可能な読み出し専用メモリ、以下、Ｆ−ＲＯＭ１７とする）、ディスプレイコントローラ１８、電源２０、抵抗値センサ２１、フィルタ２２を備えている。解析装置１００は、電極コード３０４および（または）電源コード３０３を介してコネクタ３０２に接続される。コネクタ３０２は、生体情報計測シャツ３００に接続される。
【００４９】
コネクタ３０２は、後述する電極を介して得られる患者の心電位を増幅アンプ１１に伝達する。増幅アンプ１１は、コネクタ３０２を介して伝達される電位情報（心電位に基づく情報）を増幅する。フィルタ１９は、増幅アンプ１１からの信号の雑音成分（ノイズ）を除去する。Ａ／Ｄ変換１２は、電位情報（アナログデータ）をデジタルデータに変換する。
【００５０】
電源２０は、電源コード３０３およびコネクタ３０２を介して、生体情報計測シャツ３００の所定箇所を通電状態にする。抵抗値センサ２１は、電源２０等を介して一定の電圧を与えた場合に流れる所定箇所の電流値を抵抗測定コード３０５を介して計測し、その電流値に基づいて所定箇所の抵抗値を取得する。フィルタ２２は、抵抗値センサ２１からの情報の雑音成分（ノイズ）を除去する。Ａ／Ｄ変換１２は、抵抗値（アナログデータ）をデジタルデータに変換する。
【００５１】
ＣＰＵ１０は、心電図計測処理、呼吸値計測処理等のほか、解析装置１００全体を制御する。Ｆ−ＲＯＭ１７は、解析装置１００を制御するためのプログラムを記録する。メモリ１６は、ＣＰＵ１０のワーク領域等を提供する。マウス／キーボード１３またはディスプレイコントローラ１８の操作により生成される操作情報はＣＰＵ１０に入力され、ＣＰＵ１０が生成した画像情報及び音声情報は、ディスプレイ１４、スピーカ１５にそれぞれ出力される。
【００５２】
実施形態では、解析装置１００が心電図計測処理および（または）呼吸値計測処理等を実行するためのソフトウェアとして専用のプログラムを利用する。
【００５３】
実施形態では、解析装置１００のオペレーティングシステム（ＯＳ）の例として、マイクロソフト社のＷｉｎｄｏｗｓ（登録商標）ＸＰ、ＮＴ、２０００、９８ＳＥ、ＭＥ、ＣＥ等を用いることとする。本実施形態のプログラムは、ＯＳと共働して各機能を実現しているが、これに限らず、制御プログラム単独で各機能を実現するようにしてもよい。
【００５４】
なお、実施形態で説明する「心電図」は、被験者の身体の２点間における心電位の差を測定することの結果として得られるものである。したがって、実施形態における「心電図の測定」等の表現は、心電位等を測定する概念を含む。
【００５５】
なお、以下に説明する第１実施形態〜第４実施形態は、便宜上、生体情報計測シャツ３００が有する各機能および変形例を個別に説明するものである。したがって、生体情報計測シャツ３００として、第１実施形態〜第４実施形態で説明する各構成のいずれか１つのみを有するものとして実施することも可能であり、あるいは、それら各構成を組み合わせたものを有するものとして実施することも可能である。
【００５６】
生体情報計測シャツ３００は、第１実施形態では生体情報計測シャツ３０１等、第２実施形態では生体情報計測シャツ４００等、第３実施形態では生体情報計測シャツ５００等、第４実施形態では生体情報計測シャツ６００等として説明する。
【００５７】
また、以下に説明する生体情報計測シャツは例示であって、寸法、素材、編み方、製造工程等については、当業者に周知の手段によって変形可能である。
【００５８】
−−２．請求の範囲に記載した用語と実施形態との対応−−
請求の範囲に記載した用語と実施形態との対応は以下の通りである。ただし以下に説明する「対応する実施形態」は、請求の範囲に記載した各用語によって表される構成が有する機能の中の一つの形態（一部の形態）を示すものである。
【００５９】
「生体情報計測用衣服」は、生体情報計測シャツ３００（図１）等に対応する。「心電図解析装置」は、解析装置１００（図３）に対応する。「導電性素材」は、導電性を有する物質を含めて形成されたもの一般を含む概念であり、実施形態では、例えば導電性繊維（または導電性糸）で形成された胸部用電極および（または）四肢用電極（図４）等に対応する。「胸部誘導電極部」は、胸部用電極３５３、３５４、３５５、３５６、３５７、３５８（図４）等に対応する。「四肢誘導電極部」は、四肢用電極３５１、３５２、３６１、３６２（図４）等に対応する。
【００６０】
「電位情報」は、図１０のステップＳ２０３の処理において得られる情報（心電位等）に対応する。「電位情報取得手段」は、電位情報を取得する機能を有するものであり、例えば図１０のステップＳ２０３および（または）Ｓ２０５の処理を行う解析装置１００のＣＰＵ１０に対応する。「電位情報比較手段」は、電位情報の振幅を比較する機能を有するものであり、例えば図１１のステップＳ２６０の処理を行うＣＰＵ１０に対応する。「電位情報選択手段」は、電位情報を選択する機能を有するものであり、例えば図１１のステップＳ２６２、またはＳ２６４、またはＳ２６６の処理を行うＣＰＵ１０に対応する。
【００６１】
「心電図データ」は、図１０のステップＳ２１３においてディスプレイ出力される心電図波形の基礎となるデータに対応する。「心電図解析出力手段」は、電位情報を解析して心電図としてディスプレイ出力する機能を有するものであり、例えば図１０のステップＳ２１３の処理を行うＣＰＵ１０に対応する。
【００６２】
「導電性部材」は、導電性を有する物質を含めて形成されたもの（または導電性を有する物質を含めて形成されたものの組み合わせ）一般を含む概念であり、実施形態では、例えば導電性繊維（または導電性糸）で形成された胸部呼吸情報センサ５０２、または腹部呼吸情報センサ５０４（図１５）等に対応する。「電気情報」は、電気抵抗値の変化に基づく情報であり、例えば図２２のステップＳ４０２の処理においてＣＰＵ１０が取得する抵抗値データに対応する。「呼吸情報解析装置」は、解析装置１００に対応する（図３）。「呼吸情報計測センサ部」は、胸部呼吸情報センサ５０２または腹部呼吸情報センサ５０４（図１５）等に対応する。
【００６３】
「電気情報取得手段」は、電気情報を取得する機能を有するものであり、例えば図２２のステップＳ４０２の処理を行うＣＰＵ１０に対応する。「電気情報比較手段」は、複数の電気情報の振幅を比較する機能を有するものであり、例えば第４実施形態の図２２のステップＳ５００の前提として、胸部呼吸情報センサ６０１（図２１）由来の抵抗値データの振幅（または振幅の合計値）と、腹部呼吸情報センサ６０２由来の抵抗値データの振幅とを比較する処理を行うＣＰＵ１０に対応する。「電気情報選択手段」は、電気情報を選択する機能を有するものであり、例えば「電気情報比較手段」の比較結果に基づき、胸部呼吸情報センサ６０１由来の抵抗値データ、または腹部呼吸情報センサ６０２由来の抵抗値データのいずれか一方を選択する処理を行うＣＰＵ１０に対応する。
【００６４】
「呼吸情報解析手段」は、電気情報の変動周期に基づいて呼吸情報を解析する機能を有するものであり、例えば図２２のステップＳ４２２において呼吸推定値を演算するＣＰＵ１０に対応する。「呼吸情報データ」は、Ｓ４２２において演算される呼吸数を示すデータに対応する。「呼吸情報出力手段」は、呼吸情報データを出力する機能を有するものであり、例えば図２２のステップＳ４２２において呼吸推定値をディスプレイ上に表示するＣＰＵ１０に対応する。
【００６５】
「電気周期情報」は、図２２のステップＳ４１４の処理においてＣＰＵ１０が取得する抵抗値の変動周期の情報に対応する（図２５Ａの「抵抗値周期」の情報）。「Ｒ波高情報」は、図２２のステップＳ４０６の処理において認識されるＲ波高（Ｒ電位）の情報に対応する。「Ｒ波高周期情報」は、図２２のステップＳ４１８の処理においてＣＰＵ１０が取得するＲ波高の変動周期の情報に対応する（図２５Ａの「Ｒ波高周期」の情報）。「電気振幅情報」は、Ｓ４１４の処理においてＣＰＵ１０が取得する抵抗値に振幅の情報に対応する（図２５Ａの「抵抗値振幅」の情報）。「Ｒ波高振幅情報」は、図２２のステップＳ４１８の処理においてＣＰＵ１０が取得するＲ波高の振幅の情報に対応する（図２５Ａの「Ｒ波高振幅」の情報）。
【００６６】
−−３．第１実施形態（心電図測定）−−
３−１．生体情報計測シャツ
図４、図５に基づいて、第１実施形態における生体情報計測シャツ３００を説明する。図４Ａは、第１実施形態による生体情報計測シャツ３０１（図５）の部分図である。具体的には、図４Ａは、生体情報計測シャツ３０１の製造工程における裁断前の前身ごろ（胸側）を示す。生体情報計測シャツ３０１は、伸縮性を有する非導電性繊維によって構成されるシャツ部３５０と、後述する電極部とによって構成される。伸縮性を有する非導電性繊維の例として、以下のものが挙げられる。
【００６７】
・ポリウレタン等の伸縮性を有する化学繊維
・綿、麻、絹、毛等の天然繊維を、平編み、または天竺編み、またはゴム編み、またはリブ編み、またはフライス編み等の編み方によって伸縮性を持たせたもの
・ゴム等の伸縮性素材に対して繊維を編み込んだもの
・上記繊維等の組み合わせ
実施形態におけるシャツ部３５０は、例示として綿糸をゴム編みしたものを採用する。なお、シャツ部は、伸縮性を有する非導電性素材に限らず、伸縮性のない（または伸縮性が低い）非導電性素材を採用してもよい。伸縮性のないシャツ部を採用する場合は、後述する各電極部を、被験者の体表面に密着させる手段を用いるのが好ましい。被験者の体表面に各電極部を密着させるためには、例えば皮膚刺激の少ないアクリル系粘着剤等を各電極の体表接触面側に塗布しておけばよい。
【００６８】
生体情報計測シャツ３０１は、シャツ部３５０に対して、導電性素材で形成された胸部電極部および四肢電極部が編み込まれている。実施形態では、胸部電極部および四肢電極部の例示として、図４Ａのシャツ部３５０の裏側（被験者の皮膚接触面側）に編み込まれる導電性繊維を採用する。ここでは、導電性繊維の例示として、金属粒子（例えば銀粒子、または銅粒子、または硫化銅粒子等）を付着（例えば化学結合等による）した繊維（例えば、日本蚕毛染色株式会社のサンダーロン（Ｔｈｕｎｄｅｒｏｎ）（登録商標）等）を利用したものを実施形態とする。
【００６９】
胸部用電極は、胸部用電極３５３、胸部用電極３５４、胸部用電極３５５、胸部用電極３５６、胸部用電極３５７、胸部用電極３５８の合計６個の電極（縦長短冊状の導電部位）によって構成される。四肢用電極は、四肢用電極３５１、四肢用電極３５２、四肢用電極３６１、四肢用電極３６２の合計４個の四肢誘導用の電極によって構成される。
【００７０】
各電極は、導電性素材による結線によって、各結線の端部の集合としてのコネクタ連結部３６４に接続される。実施形態では、結線およびコネクタ連結部３６３の例示として、胸部電極部および（または）四肢電極部と同様の導電性繊維を採用する。胸部電極部３５１は、結線３５９によってコネクタ連結部３６３に接続される。胸部電極部３５２は、結線３６０によってコネクタ連結部３６３に接続される。その他の電極部も同様に、結線によってコネクタ連結部３６３に接続される。なお、四肢用電極３６１（または３６２）は、必要に応じて中性電極として利用する。
【００７１】
図４Ａに例示するシャツ部３５０および各部の寸法は、大人（男性）の場合の例示として以下のものを挙げることができる。ただし、以下の寸法は例示であって、被験者の年齢、性別等によって変更が可能である。
【００７２】
・シャツ部３５０：  縦（身丈方向、以下同様）約６０ｃｍ×横約５０ｃｍ
・四肢電極部３５１、３５２、３６１、３６２：  それぞれ縦約３ｃｍ×横約６ｃｍ
・四肢電極部３５１（３５２）の上辺位置：  シャツ部３５０の上辺から約４．５ｃｍ
・四肢電極部３５１（３６１）の左辺位置：  シャツ部３５０の左辺から約１０．５ｃｍ
・四肢電極部３５２（３６２）の右辺位置：  シャツ部３５０の右辺から約１０．５ｃｍ
・四肢電極部３６１（３６２）の下辺位置：  シャツ部３５０の下辺から約１８ｃｍ
・四肢電極部３５１−３５２（３６１−３６２）間の距離：  約１８ｃｍ
・胸部電極部３５３〜３５８：  それぞれ縦約１２ｃｍ×横約３ｃｍ、各胸部電極部の間隔は約１ｃｍ（例えば縦方向については、下限が約５ｃｍ、または約８ｃｍ、または約１０ｃｍ、上限が約３０ｃｍ、または約２０ｃｍ、または約１５ｃｍの範囲内における任意の寸法を採用してもよい。）
・胸部電極部３５８の右辺位置：  シャツ部３５０の右辺から約２ｃｍ
・コネクタ連結部３６３の下辺位置：  シャツ部３５０の下辺から６ｃｍ
・結線（例えば結線３５９、３６０等）：  それぞれ幅約６ｍｍ
・各結線の位置：  シャツ部の各辺から５ｃｍ以上の幅があることが望ましい。
【００７３】
・コネクタ連結部３６３：  各結線の幅約３ｍｍ
生体情報計測シャツ３０１の製造工程は、例えば（１）シャツ部３５０に対する胸部電極部および四肢電極部の編み込み、（２）（１）を裁断して前身ごろを形成、（３）後身ごろ、袖、襟等の形成、（４）前身ごろ、後身ごろ、袖、襟の後身ごろの各部を縫製、の順番に行う。なお、「（１）シャツ部３５０に対する胸部電極部および四肢電極部の編み込み」の製造工程は、例えば、当業者に周知な手作業による編み込み、またはコンピュータ制御による編み装置等を利用すればよい。
【００７４】
図４Ｂは、図４ＡのＸ−Ｘ方向の部分断面を示す図である。実施形態では、例示として生体情報計測シャツ３０１を二重織りで形成する。シャツ部３５０は、非導電性素材の織り部３７０および織り部３７１を重ねて１枚の織物として織られている。織り部３７１の一部は、非導電性素材に替えて、導電性素材である四肢電極部３５１および四肢電極部３５２が編み込まれている。四肢電極部３５１および四肢電極部３５２等をシャツ部３５０に形成する手段は図４に示す方法に限られるものではない。例えば、織り部３７１の一部を切り取り、その切り取った部分に四肢電極部３５１および四肢電極部３５２等を任意の接着部材によって固定してもよいし、または、四肢電極部３５１および四肢電極部３５２等を、別糸によって織り部３７１に編み込むようにしてもよい。
【００７５】
結線３５９および結線３６０は、それぞれ四肢電極部３５１および四肢電極部３５２に対して編み込まれる。したがって、結線３５９、３６０は、織り部３７０と織り部３７１との間に挟み込まれる位置にて編み込まれる。このように、結線については被験者が接触することができないようにすることで、心電図測定への影響を抑えるのが好ましい。その他の胸部電極部および四肢電極部、およびそれらから接続される結線も同様の二重織りで構成される。
【００７６】
図４Ｃは、図４ＡのＹ−Ｙ方向の部分断面を示す図である。織り部３７０におけるコネクタ連結部３６３に接する部分は、その繊維の一部が結線の端部とされる。コネクタ連結部３６３は、織り部３７０に対して接するように編み込まれる。各電極部から配線される結線は、織り部３７０と織り部３７１との間に挟みこまれる位置にて編み込まれ（図４Ｂ参照）、コネクタ連結部３６３に接する部分では織り部３７０の一部として編み込まれることによってコネクタ連結部３６３と電気的に接続可能となっている。
【００７７】
以上のシャツ部３５０の構成により、被験者の皮膚に接触する各胸部電極部および各四肢電極部から得られる生体電流は、それぞれの電極部に接続される結線を介してコネクタ連結部３６３に電気的に伝達される。
【００７８】
３−２．生体情報計測シャツ３０１（着用時）
図５Ａは、第１実施形態による生体情報計測用シャツにおける各電極部と被験者の体型との対応を示す模式図である。模式図では、説明の便宜のため、生体情報計測シャツ３０１の表示を省略し、各電極部と被験者の体型との対比のみを示す。被験者が生体情報計測シャツ３０１を着用した場合、四肢電極部３５１および３５２は、被験者の鎖骨付近の体表面（皮膚面）を覆う位置に配置される。四肢電極部３６２および３６３は、被験者の骨盤付近の体表面を覆う位置に配置される。胸部電極部３５３〜３５８は、生体情報計測シャツ３０１において、着用時、体軸垂直方向（シャツの身丈方向に垂直な方向）については被験者の胸骨前部付近（胸の中心付近）の体表面から左胸側部付近（左脇の下付近）の体表面を覆い、体軸方向については第４肋骨付近の体表面から第６肋骨付近（または第７肋骨付近、または第８肋骨付近、または肋骨下縁付近）の体表面を覆う位置に配置される。
【００７９】
以上説明した各胸部電極部および各四肢電極部の配置は例示であって、当業者に周知の手段によって変形可能である。例えば、各胸部電極部は、心臓前面の肋骨領域付近の体表面を覆う位置に配置してもよい。ただし、各胸部電極部および各四肢電極部の配置は、筋電等の心電位以外のノイズの影響が少ない位置であることが望ましい。
【００８０】
コネクタ連結部３６３は、各電極部と電気的に接続されるように１０個の結線端部を有している。コネクタ３０２は、それら１０個の各結線端部と電気的に接続されるための１０個の電気端子を有している。コネクタ連結部３６３は、コネクタ３０２に対して接続されることによって電気的に接続される。コネクタ連結部３６３とコネクタ３０２との接続は、面ファスナー等を利用した周知の手段によって行う。
【００８１】
図５Ｂは、被験者が生体情報計測シャツ３０１を着用した状態を示す図である。生体情報計測シャツ３０１を利用した心電図測定を行う際には、生体情報計測シャツ３０１のコネクタ連結部３６３にコネクタ３０２を接続させる（貼り合わせる）。コネクタ３０２は、電極コード３０４を介して解析装置１００に接続される。
【００８２】
３−３．心電図測定
以上説明した第１実施形態による生体情報計測シャツ３０１を利用して、心電図の測定を行う。心電図の測定は、例示として以下のような手順で行われる。
【００８３】
胸部電極部（３５３、３５４、３５５、３５６、３５７、３５８）および四肢電極部（３５１、３５２、３６１、３６２）の各電極部から得られた被験者の心電位は、図３に示すコネクタ３０２を介して解析装置１００の増幅アンプ１１に伝達される。増幅アンプ１１によって増幅された心電位は、フィルタ１９によってノイズが除去される。Ａ／Ｄ変換１２は、心電位データ（アナログデータ）をデジタルデータに変換する。解析装置１００のＣＰＵ１０は、１０個の電極を介して得られるデジタルデータを心電波形データとして連続的にメモリ１６（またはＦ−ＲＯＭ１７、以下同じ）に記録した上で、当業者に周知の心電図解析手段によって１２誘導心電図を算出する。１２誘導心電図とは、数個から１０数個の電極を生体につけることによって得られる１２パターンの心電図のことをいう。
【００８４】
図６は、一つの誘導について、メモリ１６記録された心電波形データを模式的にグラフ（縦軸：電位（電圧）、横軸：時間）によって表したものである。ＣＰＵ１０は、図６に例示する心電図波形グラフを、ディスプレイ１４に描画する処理を行う。心電図グラフの描画は、心電図の測定時間の経過にしたがってプロットポイントが移動（ディスプレイ右方向）することによって行われる。また、ＣＰＵ１０は、心電波形データに基づいて心拍１回毎の波形を認識する。図６に示すように、ＣＰＵ１０は、心電図波形データから、Ｐ（Ｐ電位またはＰ波高）、Ｑ（Ｑ電位またはＱ波高）、Ｒ（Ｒ電位またはＲ波高）、Ｓ（Ｓ電位またはＳ波高）、Ｔ（Ｔ電位またはＴ波高）、ＳＴ（ＳＴレベル）、ＱＴ（ＱＴ間隔）、ＲＲ（ＲＲ間隔）、ＲＳ振幅値の全てまたはそれらの一部を認識値データ（特徴量）として認識（抽出）してメモリ１６に記録する。ＣＰＵ１０は、正常波形の場合、例えば以下のような処理によって、１心拍の認識、および、心電図の各波を認識する。
【００８５】
（１）１心拍の認識：所定時間の心電波形データ（電位値または電圧値）のサンプリングを行った後、所定の閾値を超える極大値成分であるＲ波と、（所定の閾値を超える極大値成分である）次のＲ波を認識し、ＲＲ間隔を１心拍として認識する。このとき、Ｒ波以外の極大値であるＴ波成分（Ｒ波より周波数が低い）を、ローカットフィルタを利用して除去してもよい。
【００８６】
（２）Ｐ波：Ｒ波の位置から２００〜３００ｍｓｅｃ（ミリ秒）前の位置に存在する極大値をＰ波と認識する。
【００８７】
（３）Ｑ波：Ｒ波の位置の直前に存在する極小値をＱ波と認識する。
【００８８】
（４）Ｓ波：Ｒ波の位置の直後に存在する極小値をＳ波と認識する。
【００８９】
（５）Ｔ波：Ｒ波と次のＲ波の間に存在する極大値をＴ波と認識する。
【００９０】
（６）ＳＴ部：心電図上においてＳ波とＴ波との間を直線補間した場合に、その間の極大値成分となる部分をＳＴ部と認識する。
【００９１】
なお、心電図測定中の被験者の動作等によっては、心電図波形中に異常な周期を有する高周波ノイズが生じてしまい、認識値データの抽出が正確に行われ難い場合も多い。そのような高周波ノイズを除外して正確な認識値データをとる方法として、例えば、特開平６−２６１８７１に開示されている技術を利用してもよい。
【００９２】
図７は、図４の生体情報計測シャツ３０１に類似の構成による生体情報計測シャツを用いて得られた心電図測定結果例を示す図である。図では、標準肢誘導（第Ｉ誘導，第ＩＩ誘導，第ＩＩＩ誘導），ａＶ誘導（ａＶＲ，ａＶＬ，ａＦ），胸部誘導（Ｖ１，Ｖ２，Ｖ３，Ｖ４，Ｖ５，Ｖ６）の１２種類の誘導毎に心電図が測定された例を示す。
【００９３】
３−４．実施形態による効果
実施形態では、被験者の胸部前面付近に配置されうる縦長形状の胸部用電極を採用している（図４等参照）。したがって、被験者毎の体格の相違、あるいは心電図測定中における被験者体内での心臓移動等があった場合であっても、広い面積を有する縦長形状の胸部用電極によって心電位の取得可能性を高めることができる。
【００９４】
実施形態では、生体情報計測用衣服として、生体情報計測シャツ３００を採用している。また、生体情報計測シャツ３００は伸縮性を有する繊維で構成されるから、被験者の上半身に密着する結果、電極等の位置決め、方向性の確認が容易である。さらに、測定毎に類似の生体情報計測シャツを利用することで、被験者の体型に対する電極等の位置が測定毎に異なってしまう可能性を抑えることもできる。
【００９５】
実施形態では、四肢誘導に相当する位置に、従来の電極よりも大きい面積を有する四肢電極部を配置している。したがって、四肢誘導の心電図を安定して取得することができる。
【００９６】
実施形態では、図４に示す四肢電極部および胸部電極部は、織り部３７１よりも肉厚となるものを例示した。各電極の厚みはこれに限らず、被験者の体表面に接触する程度の厚みがあればよい。ただし、織り部３７１よりも肉厚とすると同時にシャツ部３５０の伸縮度を高めることによって体表面への密着度を増加させ、体表面における電極の移動を抑える（ノイズを減少させる）のが好ましい。また、心電図の測定感度の向上の点では、導電性を高くする（電極自身の抵抗を減少させる）ために各電極部を肉厚にするのが好ましい。
【００９７】
３−５．第１実施形態のバリエーション
（１）生体情報計測シャツ３０１の形状バリエーション
図８は、第１実施形態の生体情報計測シャツ３０１の変形例である。図８Ａは、胸に巻く形状を有する生体情報計測用衣服としての衣類３８０（着用状態）を示す。衣類３８０は、生体情報計測シャツ３０１と同様に、非導電性繊維に対して被験者の体表面側に胸部電極部３８１が編み込まれている。この場合、別途四肢誘導用電極（ただし、図４Ａに示す四肢電極部（３５１、３５２、３６１、３６２）に限らない）を被験者に対して取り付ける必要がある。
【００９８】
図８Ｂは、胸部電極部を単一電極部とした、生体情報計測シャツ３０１と同様の生体情報計測シャツ３８２（着用状態）を示す。生体情報計測シャツ３８２は、生体情報計測シャツ３０１と同様に、非導電性繊維に対して被験者の体表面側に胸部電極部３８３が編み込まれている。胸部電極部３８３は、生体情報計測シャツ３８２において、着用時に被験者の心臓前面の肋骨領域を覆う位置に配置される。具体的には、胸部電極部３８３は、体軸垂直方向については被験者の胸骨前部付近の体表面から胸側部付近の体表面を覆い、体軸方向については第４肋骨付近の体表面から第６肋骨付近（または第７肋骨付近、または第８肋骨付近、または肋骨下縁付近）の体表面を覆う位置に配置される。
【００９９】
図８Ｂは、胸部電極部として単一電極となるものを例示したが、これに限られるものではない。その他の実施形態として、２個、または３個、または４個、または５個の胸部電極部を採用してもよい。
【０１００】
実施形態では、被験者として男性大人が着用することを前提とした生体情報計測シャツ３０１を例示したが、女性用または子供用の場合、それらの体型に合致する寸法に変形すればよい。その他、生体情報計測用衣服として、シャツ以外の下着、または女性用下着（ブラジャー等）、またはパジャマ（寝間着）、またはポロシャツ等に適した形状を採用してもよい。
【０１０１】
（２）胸部電極部および（または）四肢電極部の導電性素材のバリエーション
第１実施形態では、胸部電極部および四肢電極部として機能する導電性素材として銀粒子を付着した繊維（導電性繊維）を利用する例を示したが、その他の導電性素材を利用してもよい。例えば、銀粒子以外の導電性物質を付着した繊維、またはシャツ部３５０に対する金属めっき、または導電性フィルム基板（または導電性プリント基板）の貼り付け、または導電性インクの利用、またはフラーレン蒸着等の手段によって、胸部電極部および（または）四肢電極部を構成してもよい。なお、結線についても、上述のような導電性繊維以外の導電性素材を採用してもよい。
【０１０２】
その他、生体情報計測シャツ３０１の前面にアース（０電位）に接続可能なシールドを貼り付ける（または編み込む）ことによって、生体電流以外のノイズの影響を抑えるようにしてもよい。具体的には、コネクタ３０２の一部をアース端子として設定し、貼り付けたシールドをそのアース端子に接続する。シールドの例示として、表地が綿１００％、裏地が電磁波シールド布（ポリエステルモノフィラメント、ニッケル、アクリル皮膜の三層構造の特殊繊維等）の組み合わせ等が挙げられる。
【０１０３】
（３）生体情報計測シャツ３０１の織り方のバリエーション
実施形態では、生体情報計測シャツ３０１を二重織りで形成する例を示したが、これに限られるものではない。その他の実施形態として、一重織り、または三重織り等の任意の織り方を採用してもよい。
【０１０４】
（４）コネクタの構成バリエーション
実施形態では、コネクタ連結部３６３とコネクタ３０２とを貼り合わせることによって各電極と解析装置１００とを電気的に接続する例を示したが、これに限られるものではない。コネクタ連結部３６３とコネクタ３０２とを接続する手段として、所定の嵌合形状を採用してもよい。具体的には、コネクタ連結部３６３における結線端部を金属プラグとし、一方のコネクタ３０２にはそれら金属プラグが差し込まれるためのジャックを備える。
【０１０５】
−−４．第２実施形態（心電図計測処理）−−
４−１．生体情報計測シャツ
第２実施形態における生体情報計測シャツを説明する。第２実施形態は、被験者毎の体型の相違、または体動等の原因により、胸部誘導電極が不適切な配置となる問題点を解消するものである。第２実施形態における生体情報計測シャツは、第１実施形態における生体情報計測シャツ３０１と同様の構成である。したがって、以下の説明では第１実施形態と異なる部分を中心に説明する。
【０１０６】
図９は、第２実施形態による生体情報計測シャツ４００の全体図である。生体情報計測シャツ４００の胸部用電極は、胸部用電極４０１、４０２、４０３、４０４、４０５、４０６、４０７、４０８の合計８個の電極によって構成される。ここでは、コネクタ類の説明を省略する。第２実施形態における四肢誘導用電極としては、第１実施形態で説明した四肢用電極に限らず、一般的な銀／塩化銀電極を採用してもよい。
【０１０７】
図９に示すように、胸部用電極４０１、４０２、４０３、４０４、４０５、４０６による６電極の組み合わせを胸部誘導セット１、胸部用電極４０２、４０３、４０４、４０５、４０６、４０７による６電極の組み合わせを胸部誘導セット２、胸部用電極４０３、４０４、４０５、４０６、４０７、４０８による６電極の組み合わせを胸部誘導セット３とする。被験者の体軸垂直方向に関する胸部誘導セット１、２、３の配置は、例えば以下のように表現することができる。ただし、被験者毎の体型の相違、または体動等の可能性に応じて、胸部電極部が覆う範囲および（または）胸部電極部の数を変更してもよい。
【０１０８】
・胸部誘導セット１：被験者の胸骨前部から１胸部電極分ほど右胸側部側に移動した付近から、胸側部付近までの体表面を覆う位置。
【０１０９】
・胸部誘導セット２：被験者の胸骨前部付近から、左胸側部付近までの体表面を覆う位置（第１実施形態における胸部電極部の配置と同様）。
【０１１０】
・胸部誘導セット３：被験者の胸骨前部付近から、左胸側部から１胸部電極分ほど左胸側部側に移動した付近までの体表面を覆う位置。
【０１１１】
４−２．心電図計測処理
図１０に基づいて、第２実施形態における解析装置１００のＣＰＵ１０が実行する心電図計測処理のプログラムのフローチャートを説明する。
【０１１２】
ＣＰＵ１０は、心電図計測処理を開始するとともにタイマをスタートする（ステップＳ２０１）。ＣＰＵ１０は、被験者の体表面に接触する胸部電極４０１〜４０８および増幅アンプ１１等を介して胸部誘導の心電図を測定し、各胸部誘導毎に心電位をメモリ１６に記録する（Ｓ２０３）。ＣＰＵ１０は、各胸部誘導毎に１心拍の波形を認識できたか否かを判断する（Ｓ２０５）。このステップＳ２０５の判断は、第１実施形態において説明した処理と同様である。Ｓ２０５において１心拍の波形を認識できなかったと判断した場合には、ＣＰＵ１０は再びＳ２０３からの処理を繰り返す。
【０１１３】
一方、Ｓ２０５において１心拍の波形が認識できたと判断した場合には、ＣＰＵ１０はタイマ値が３０秒以上であったか否かを判断する（Ｓ２０７）。タイマ値が３０秒以上でない場合には、ＣＰＵ１０は、選択された胸部誘導セットの心電位を心電図波形としてディスプレイ出力するための心電図データに基づいて、心電図波形（心電図グラフ）をディスプレイ１４に表示する（Ｓ２１３）。実施形態では、胸部誘導セットの初期設定として、例えば図９の胸部誘導セット１が選択されるものとする。
【０１１４】
図１３は、第２実施形態による心電図計測処理中のディスプレイ１４の画面表示例である。図１３Ａは、Ｓ２１３の処理における胸部誘導の心電図波形の画面表示例である。測定位置ガイド４８０は、現在測定中の胸部誘導セットの名称と、（被験者の体型模式図（体型イメージ図）における）その胸部誘導セットに対応する胸部電極部の位置とを示す。具体的には、測定位置ガイド４８０は、現在、図９の胸部用電極部４０１、４０２、４０３、４０４、４０５、４０６に基づく心電図波形（胸部誘導セット１に基づく心電図波形）が表示されていることを示すために、被験者上半身の模式図中に、対応する電極位置をハイライト表示（強調表示）している。実施形態では、被験者上半身（被験者の体型）の模式図を例示したが、これに限られるものではない。その他の実施形態として、生体情報計測シャツの模式図を示してもよい。また、模式図（イメージ図）の表現方法は、当業者に周知の手段によって任意に変形可能である。
【０１１５】
ＣＰＵ１０は、ディスプレイ１４に表示していない心電図データ（未処理データ）が有るか否かを判断する（Ｓ２１５）。未処理データが有ったと判断した場合には、ＣＰＵ１０はＳ２０３からの処理を繰り返す。
【０１１６】
Ｓ２０７の処理において、タイマ値が３０秒以上であったと判断した場合には、ＣＰＵ１０は、Ｓ２０９の胸部誘導セット選択処理を実行する。
【０１１７】
図１１は、図１０のＳ２０９においてサブルーチンとして示した胸部誘導セット選択処理のプログラムのフローチャートである。ＣＰＵ１０は、各胸部誘導毎に、図１０のＳ２０５で認識した心拍のＲ電位およびＳ電位のデータを取得することにより、測定範囲内（ここでは３０秒間）の各心拍の振幅値を算出する（Ｓ２５０）。振幅値は、演算式：｜Ｒ電位−Ｓ電位｜（Ｒ電位とＳ電位との差の絶対値）に基づいて算出する。この振幅値は、図６におけるＲ−Ｓ間隔に対応する。
【０１１８】
図１２Ａは、Ｓ２５０においてＣＰＵが演算したＲＳ振幅値の記録内容例４５０を示す図である。「Ｄａｔａ  Ｎｏ．」は、測定時間の経過に従ってＣＰＵ１０が認識する各心拍を特定するための番号である。胸部誘導Ｎｏ．１は、図９の胸部用電極４０１に基づいて得られる誘導、Ｎｏ．２は胸部用電極４０２に基づいて得られる誘導、Ｎｏ．３は胸部用電極４０３に基づいて得られる誘導、Ｎｏ．４は胸部用電極４０４に基づいて得られる誘導、Ｎｏ．５は胸部用電極４０５に基づいて得られる誘導、Ｎｏ．６は胸部用電極４０６に基づいて得られる誘導、Ｎｏ．７は胸部用電極４０７に基づいて得られる誘導、Ｎｏ．８は胸部用電極４０８に基づいて得られる誘導を示す。ここでは、心拍番号１５０１〜１５３０について、各誘導毎にＲＳ振幅値（単位：ｍＶ）がメモリ１６に記録される。
【０１１９】
ＣＰＵ１０は、各胸部誘導毎の振幅値の合計を算出する（Ｓ２５２）。具体的には、ＣＰＵ１０は、各誘導毎に心拍番号１５０１〜１５３０の全てのＲＳ振幅値を加算する。図１２Ｂは、Ｓ２５２においてＣＰＵが演算したＲＳ振幅値合計の記録内容例４５２を示す図である。
【０１２０】
ＣＰＵ１０は、胸部誘導セット１（誘導Ｎｏ．１〜６）の振幅値の合計を算出する（Ｓ２５４）。ＣＰＵ１０は、胸部誘導セット２（誘導Ｎｏ．２〜７）の振幅値の合計を算出する（Ｓ２５６）。ＣＰＵ１０は、胸部誘導セット３（誘導Ｎｏ．３〜８）の振幅値の合計を算出する（Ｓ２５８）。図１２Ｃは、Ｓ２５４、Ｓ２５６、Ｓ２５８においてＣＰＵが演算したＲＳ振幅値合計の記録内容例４５４を示す図である。
【０１２１】
ＣＰＵ１０は、振幅値の合計が最大である胸部誘導セットを判断する（Ｓ２６０）。胸部誘導セット１が最大であったと判断した場合には、ＣＰＵ１０は胸部誘導セット１を選択する（Ｓ２６２）。胸部誘導セット２が最大であったと判断した場合には、ＣＰＵ１０は胸部誘導セット２を選択する（Ｓ２６４）。胸部誘導セット３が最大であったと判断した場合には、ＣＰＵ１０は胸部誘導セット３を選択する（Ｓ２６６）。ここでは、図１２Ｃに示すように胸部誘導セット２のＲＳ振幅値合計（１１１．０５）が最大であったと判断され、ＣＰＵ１０はＳ２６４の後、図１０のＳ２１１からの処理を行う。
【０１２２】
ＣＰＵ１０は、Ｓ２０９の処理の後、タイマをリセットおよび再度スタートして（Ｓ２１１）、Ｓ２１３の処理を実行する。ここでは図１１のＳ２６４の処理において選択された胸部誘導セット２の心電図データに基づいて、心電図波形をディスプレイ１４に表示する。図１３Ｂに示すように、測定位置ガイド４８１は、現在、図９の胸部用電極部４０２、４０３、４０４、４０５、４０６、４０７に基づく心電図波形（胸部誘導セット２に基づく心電図波形）が表示されていることを示すために、被験者上半身の模式図中に、対応する電極位置をハイライト表示（強調表示）している。ＣＰＵ１０は、Ｓ２１５において未処理データが無いと判断した場合には、処理を終了する。
【０１２３】
４−３．実施形態による効果
以上の胸部誘導セット選択処理により、ＣＰＵ１０は、複数の胸部用電極から得られる情報について、ＲＳ振幅値が大きいものを選択したうえで、その選択したものを心電図の出力の基礎にする。したがって、例えば被験者毎の体格の相違（心臓位置の相違）や、被験者の運動による心臓移動にもかかわらず、適切な胸部誘導を選択することができる。
【０１２４】
４−４．第２実施形態のバリエーション
（１）生体情報計測シャツ４００のバリエーション
図１４は、第２実施形態の生体情報計測シャツ４００の変形例である。生体情報計測シャツ４２０は、被験者の胸部全体の体表面に胸部用電極が配置されるように構成されている。具体的には、被験者の左胸側部付近から、右胸側部付近の体表面を覆う位置について、合計１２個の胸部用電極が配置される。図面に向かって右側６個の胸部用電極を胸部誘導セット１とし、図面に向かって左側６個の胸部用電極を胸部誘導セット２とする。また、心電図計測処理は、図１０、図１１に示すプログラムのフローチャートと同様の処理を行う。
【０１２５】
この変形例により、解析装置１００は、心電図の振幅値（例えばＲＳ振幅値）が大きい胸部誘導セットを選択したうえで、それらの心電図波形をディスプレイに表示することができる。この変形例においては、例えば心臓が左側にある被験者だけでなく、心臓が右側にある被験者の心電図測定にも対応することができる。
【０１２６】
（２）胸部誘導セット選択処理のバリエーション
第２実施形態では、図９の胸部誘導セット１〜３の胸部用電極の組み合わせの中から、ＲＳ振幅値の合計値の大きいものを選択することとしたが（図１１ステップＳ２６０参照）、これに限られるものではない。胸部誘導セット選択処理のその他の実施形態として例えば次のようなバリエーションを採用してもよい。
【０１２７】
・胸部誘導毎の選択処理：  胸部誘導セット毎ではなく、各胸部用電極に基づく誘導毎に選択処理を行う。図９に示す生体情報計測シャツ４００の場合、最大８誘導を取得して、ＲＳ振幅値が大きいものから順に６個の誘導を選択する。
【０１２８】
・ＲＳ振幅値の基準値による誘導の選択：  各胸部誘導セット（または各胸部用電極に基づく誘導）の中から、ＲＳ振幅値が所定の基準値（例えば０．５ｍＶ以上）を超えるもののみを選択する。
【０１２９】
その他、図１２のＳ２５０においてＣＰＵ１０がＲＳ振幅値の計算対象とする測定範囲（実施形態では３０秒間）は任意の範囲に変更可能である。
【０１３０】
例えば、１心拍毎に図１１の胸部誘導セット選択処理を実行するようにしてもよい。また、ＲＳ振幅値の演算手法は、第２実施形態で説明した合計値を算出する場合のほか、平均値を算出する等の任意の手法に変更可能である。心拍の振幅値としてＲ値とＳ値の差を例示したが、これに限られるものではなく、その他の値（例えばＲ値とＱ値の差、またはＲ値の絶対値等）を採用してもよい。
【０１３１】
−−５．第３実施形態（呼吸値計測処理）−−
５−１．生体情報計測シャツ
第３実施形態における生体情報計測シャツ５００を説明する。生体情報計測シャツ５００の全体図は、図１６Ａに示す。第３実施形態は、呼吸値を計測するための構成を備えている。生体情報計測シャツ５００のコネクタ類、シャツ部、接続される解析装置１００等は第１実施形態と同様である。したがって、以下の説明では第１実施形態と異なる部分を中心に説明する。
【０１３２】
図１５Ａは、第３実施形態における生体情報計測シャツ５００の部分図である。具体的には、図１５Ａは、生体情報計測シャツ５００の製造工程における裁断前の前身ごろ（胸側）を示す。生体情報計測シャツ５００は、伸縮性を有する非導電性繊維によって構成されるシャツ部５５０と、後述するセンサとによって構成される。具体的には、シャツ部５５０に対して、導電性繊維で形成された胸部呼吸情報センサ５０２、腹部呼吸情報センサ５０４が編み込まれている。ここでは、導電性繊維の例示として、金属粒子（例えば銀粒子、または銅粒子、または硫化銅粒子等）を付着（例えば化学結合等による）した繊維（例えば、日本蚕毛染色株式会社のサンダーロン（Ｔｈｕｎｄｅｒｏｎ）（登録商標）等）を利用したものを実施形態とする。
【０１３３】
胸部呼吸情報センサ５０２および腹部呼吸情報センサ５０４は、導電性素材による結線によって、各結線の端部の集合としてのコネクタ連結部に接続される。実施形態では、結線およびコネクタ連結部３６３の例示として、胸部呼吸情報センサ５０２および（または）腹部呼吸情報センサ５０４と同様の導電性繊維を採用する。胸部呼吸情報センサ５０２は、その一端が結線５５４によってコネクタ連結部５０６と接続され、他の一端が結線５５２によってコネクタ連結部５０６と接続される。腹部呼吸情報センサ５０４も同様に、結線によってコネクタ連結部５０６と接続される。
【０１３４】
図１５Ａに例示する生体情報計測シャツのシャツ部５５０における胸部呼吸情報センサ５０２および腹部呼吸情報センサ５０４は、着用時に被験者の呼吸動作によって伸縮が大きくなる箇所に配置するのが好ましい。具体的には、例えば被験者の呼吸動作による胸囲長の変動（胸郭の周長変動）、腹囲長の変動が大きくなることが予想される箇所が好適である。なお、生体情報計測シャツ５００は、被験者の呼吸動作によって主に被験者の体軸垂直方向（胸囲方向）に伸縮する。したがって、シャツ部５５０は、被験者の体軸垂直方向（胸囲方向）への伸縮率が、被験者の体軸方向（シャツの身丈方向）への伸縮率よりも大きくなるように形成するのが好ましい。
【０１３５】
図１５Ｂは、図１５ＡのＡ−Ａ方向の部分断面を示す図である。実施形態では、例示として生体情報計測シャツを二重織りで形成する。シャツ部５５０は、非導電性繊維の織り部５６０および織り部５６１を重ねて１枚の織物として織っている。織り部５６０と織り部５６１との間に、胸部呼吸情報センサ５０２が編み込まれる。結線５５２および結線５５４は、それぞれ胸部呼吸情報センサ５０２の両端に編み込まれる。腹部呼吸情報センサ５０４およびそこから接続される結線も同様の二重織りで構成される。
【０１３６】
図１５Ｃは、図１５ＡのＢ−Ｂ方向の部分断面を示す図である。織り部５６０におけるコネクタ連結部５０６に接する部分は、その繊維の一部が結線の端部とされる。コネクタ連結部５０６は、織り部５６０に対して接するように編み込まれる。各センサ部から配線される結線は、シャツ部５５０において織り部５６０と織り部５６１との間に挟みこまれる位置にて編み込まれ（図１５Ｂ参照）、コネクタ連結部５０６に接する部分では織り部５６０の一部として編み込まれることによってコネクタ連結部５０６と電気的に接続可能となっている。
【０１３７】
生体情報計測シャツの製造工程は、例えば（１）胸部呼吸情報センサ５０２および腹部呼吸情報センサ５０４の編み込みを含めたシャツ部５５０の形成、（２）（１）を裁断して前身ごろを形成、（３）後身ごろ、袖、襟等の形成、（４）前身ごろ、後身ごろ、袖、襟の後身ごろの各部を縫製、の順番に行う。なお、「（１）胸部呼吸情報センサ５０２および腹部呼吸情報センサ５０４の編み込みを含めたシャツ部５５０の形成」の製造工程は、例えば、当業者に周知な手作業による編み込み、またはコンピュータ制御による編み装置等を利用すればよい。
【０１３８】
５−２．生体情報計測シャツ５００（全体図）
図１６Ａは、上記のシャツ部５５０を含めて製造される生体情報計測シャツ５００の全体図である。生体情報計測シャツ５００は、胸部呼吸情報センサ５０２、腹部呼吸情報センサ５０４、コネクタ連結部５０６を備える。コネクタ連結部５０６は、各センサの両端と電気的に接続されるように４個の結線端部を有している。コネクタ５０８は、それら４個の各結線端部と電気的に接続されるための４個の電気端子を有している。コネクタ連結部５０６は、コネクタ５０８に対して接触されることによって電気的に接続される。コネクタ連結部５０６とコネクタ５０６との接続は、面ファスナー等を利用した周知の手段によって行う。
【０１３９】
図１６Ｂは、被験者が生体情報計測シャツ５００を着用した状態を示す図である。生体情報計測シャツ５００を利用した呼吸値計測を行う際には、生体情報計測シャツ５００のコネクタ連結部５０６にコネクタ５０８を接続させる。コネクタ５０８は、電源コード５１０を介して解析装置１００に接続される。
【０１４０】
５−３．呼吸値計測
以上説明した第３実施形態による生体情報計測シャツ５００を利用して、呼吸値の計測を行う。呼吸値の計測は、例示として以下のような手順で行われる。
【０１４１】
被験者が生体情報計測シャツ５００（図１６参照）を着用した後、コネクタ連結部５０６にコネクタ５０８を接続させる。コネクタ５０８は、図３に示すコネクタ３０２と同様の構成による。コネクタ５０８は、電源コード５１０を介して解析装置１００に接続する（図３参照）。
【０１４２】
電源２０から、電源コード５１０、コネクタ５０８、コネクタ連結部５０６を介して、胸部呼吸情報センサ５０２および（または）腹部呼吸情報センサ５０４に対して一定の電流（例えば１０マイクロアンペア等の微少電流）を流す（微少電流の印加）。
【０１４３】
被験者の呼吸動作に基づいて、被験者の胸囲周辺または腹囲周辺の体型が変動する。この体型の変動は、例えば胸囲長および（または）腹囲長の変動を含むのが一般的である。この体型の変動に従って、胸部呼吸情報センサ５０２および（または）腹部呼吸情報センサ５０４の形状が変動する。各センサの形状の変動は、例えばセンサの横方向（胸囲方向または腹囲方向）の長さの変動を含むのが一般的である。
【０１４４】
胸部呼吸情報センサ５０２および腹部呼吸情報センサ５０４は、例示として金属粒子を付着した導電性繊維によって構成される。したがって、電源２０によって通電状態とされる胸部呼吸情報センサ５０２および腹部呼吸情報センサ５０４は、被験者の呼吸動作に伴うセンサ形状の変動に応じて、金属粒子同士の接触数（または接触面積、または単位体積当たりの金属粒子密度）が増加または減少し、各センサの有する電気的抵抗値が変化する。例えば、胸囲長（または腹囲長）が長くなった状態では金属粒子同士の接触数が減少して電気的抵抗値が上がり（電流が流れにくくなる）、胸囲長（または腹囲長）が短くなった状態では金属粒子同士の接触数が再び増加して電気的抵抗値が下がる（電流が流れやすくなる）。なお、金属粒子の付着によらない導電性繊維の場合は、被験者の呼吸動作に伴う導電性繊維の長さ（または断面積）の伸縮によって、各導電性繊維の抵抗値が変化する。なお、生体情報計測シャツ５００のシャツ部５５０は、上述したように伸縮性を有する非導電性素材によって形成される。被験者の呼吸動作に伴うセンサ形状の変動量を大きくするために、シャツ部５５０は被験者の上半身（特に胸囲付近（または腹囲付近））に密着する程度の充分な伸縮性を有するのが好ましい。その他、胸部呼吸情報センサ５０２および（または）腹部呼吸情報センサ５０４の面積を大きくすることによって呼吸値の検出感度を向上させるようにしてもよい。
【０１４５】
抵抗値センサ２１（図３）は、胸部呼吸情報センサ５０２および（または）腹部呼吸情報センサ５０４の抵抗値の変動を検知する。検知された抵抗値の変動は、フィルタ２２を介してノイズ除去された後、Ａ／Ｄ変換１２によってデジタルデータ（抵抗値データ）に変換される。
【０１４６】
図１７は、解析装置１００のメモリ１６等に記録された抵抗値データを模式的にグラフによって表したものである。図では、胸部呼吸情報センサ５０２または腹部呼吸情報センサ５０４のいずれか一方の抵抗値の変動が周期的に生ずるものとして示した。抵抗値の変動は、抵抗値周期部分５９０、抵抗値振幅部分５９１等によって定義される。
【０１４７】
解析装置１００のＣＰＵ１０は、抵抗値のデータに基づいて抵抗値の変動の周波数を算出し、その結果に基づいて呼吸値を出力する。具体的には、例えば抵抗値の変動の周波数が１分間当たり１５回であれば、呼吸数を１５（回／１分間）とする。解析装置１００は被験者の呼吸数等の情報をディスプレイ１４に出力する。なお、実施形態では抵抗値の変動を検知することとしたが、これに限られるものではない。その他の実施形態として、解析装置１００は、各センサの電流値（または各センサの電圧値）を検知することによって電流（または電圧）の変動周期を算出し、その結果に基づいて呼吸値（または呼吸数の推定値、以下同じ）を出力するようにしてもよい。
【０１４８】
実施形態では、呼吸値を取得するために胸部呼吸情報センサ５０２および腹部呼吸情報センサ５０４の二つの手段を採用する例を示したが、これに限られるものではない。その他の実施形態として、胸部呼吸情報センサ５０２または腹部呼吸情報センサ５０４のいずれか一方のみからの情報に基づいて呼吸値を取得するようにしてもよい。一般的には、被験者の呼吸動作によって胸囲長の変動が大きければ胸部呼吸情報センサ５０２を採用し、腹囲長の変動が大きければ腹部呼吸情報センサ５０４を採用する。その他、解析装置１００は、２つのセンサに基づいて２つの呼吸値の情報を併せて出力するようにしてもよいし、所定の判定手段（例えば呼吸値の大きい方を選択する等）によっていずれか一方の呼吸値の情報のみを出力するようにしてもよい。
【０１４９】
５−４．実施形態による効果
実施形態では、生体情報計測シャツ５００に配置される胸部呼吸情報センサ５０２（または腹部呼吸情報センサ５０４）からの信号に基づいて呼吸値を計測することができる（胸部または腹部の運動に伴うセンサ部の形状の変化を呼吸運動変化として検出）。したがって、簡易な構成でありながら、被験者に対する負荷も少ない状態で呼吸値を計測することができる。
【０１５０】
実施形態では、図１５Ｂに示すように、非導電性の伸縮性素材である織り部５６０と織り部５６１との間に、胸部呼吸情報センサ５０２（または腹部呼吸情報センサ５０４）が編み込まれる。したがって、被験者は各センサに接触することもないので、被験者に対する電気的影響を抑えることができるとともに、抵抗値に対するノイズの影響も抑えることができる。
【０１５１】
５−５．第３実施形態のバリエーション
図１８〜図２０は、第３実施形態の生体情報計測シャツ５００の変形例である。図１８に示す生体情報計測シャツ５７０は、被験者の胸部付近に複数の導電性素材断片の集合である胸部呼吸情報センサ５７１を備えている。具体的には、胸部呼吸情報センサ５７１は、被験者の胸囲長が最小である状態（吐き出し状態等）では各導電性素材断片同士が接触しており、胸囲長の増加状態（吸い込み状態等）では断片同士が離れるような位置（または各断片の接触面積が減少する位置）に配置する。導電性素材センサ５７１は、例えば導電性フィルム基板等によって形成する。被験者の呼吸動作に伴い、導電性素材の断片の全部または一部が接触および非接触を繰り返すこととなり、その結果、胸部呼吸情報センサ５０２の電気的抵抗値が変動する。解析装置１００は、その抵抗値変動に基づいて呼吸値を取得する。胸部呼吸情報センサ５７１は、胸部付近に限らず、腹部付近に配置してもよい。その他、導電性素材センサ５７１は、被験者の胸囲方向に各導電性素材断片を並列する形状に限らず、各導電性素材断片をジグザグ形（稲妻形）に配置する形状にしてもよい。
【０１５２】
図１９Ａに示す生体情報計測シャツ５７５は、被験者の腹部付近に複数の導電性素材断片の集合である腹部呼吸情報センサ５７６を備えている。具体的には、腹部呼吸情報センサ５７６は、被験者の腹囲長が短い状態では各導電性素材断片同士の接触面積が大きい状態であり、腹囲長が長い状態状態では断片同士の距離が離れてそれらの接触面積が小さい状態となるような位置に配置する。生体情報計測シャツ５７５は、例示として二重織りで形成される。
【０１５３】
図１９Ｂは、図１９ＡのＥ−Ｅ方向の部分断面を示す図である。生体情報計測シャツ５７５は、非導電性素材の織り部５７７および織り部５７８を重ねて１枚の織物として織られている。織り部５７８は、被験者の体表面に接触する側である。腹部呼吸情報センサ５７６における導電性素材の各断片の一部は、織り部５７８に貼りあわされることによってアンカー部（支え部）として機能し、そのアンカーに対して導電性翼部（板部）が貼りあわされる。導電性板翼部は、隣接する他の導電性板翼部に対して接触する。導電性素材センサ５７６（またはその導電性翼部）は、例えば導電性フィルム基板等によって形成する。被験者の呼吸動作に伴い、導電性素材断片（導電性翼部）の全部または一部が、隣接する導電性素材断片の接触面積が変動する。その結果、腹部呼吸情報センサ５７６の電気的抵抗値が変動する。解析装置１００は、その抵抗値変動に基づいて呼吸値を取得する。腹部呼吸情報センサ５７６は、腹部付近に限らず、胸部付近に配置してもよい。
【０１５４】
上記実施形態では、導電性翼部(アンカー部を含む)を織り部５７８に貼り合わせているが、導電性翼部(アンカー部を含む)を導電性繊維を編み込むことによって形成してもよい。この場合、編み込んだだけでは、広がった翼の面積が確保できず、翼の厚みが大きくなるので、翼になる部分を熱によって平坦にする加工を行うとよい(カレンダー加工)。
【０１５５】
図２０に示す生体情報計測シャツ５８０は、被験者の胸囲方向に胸部呼吸情報センサ５８１、腹部付近の体軸方向（身丈方向）に腹部呼吸情報センサ５８２を備えている。生体情報計測シャツ５８０に対する各センサの編み込み、各センサの素材等は、第３実施形態におけるものと同様である。被験者の呼吸動作に伴い、胸部呼吸情報センサ５８１または腹部呼吸情報センサ５８２が伸縮を繰り返すこととなり、その結果、各センサの電気的抵抗値が変動する。解析装置１００は、その抵抗値変動に基づいて呼吸値を取得する。解析装置１００は、２つのセンサに基づいて２つの呼吸値の情報を併せて出力するようにしてもよいし、所定の判定手段（例えば呼吸値の大きい方を選択する等）によっていずれか一方の呼吸値の情報のみを出力するようにしてもよい。
【０１５６】
−−６．第４実施形態（呼吸値
計測処理（心電図Ｒ波解析併用））−−
６−１．生体情報計測シャツ
第４実施形態における生体情報計測シャツを説明する。第４実施形態は、第３実施形態による呼吸値計測処理と、心電図のＲ波解析とを組み合わせることにより、呼吸値計測の信頼性を向上させるものである。第４実施形態における生体情報計測シャツは、第１実施形態の生体情報計測シャツ３０１における胸部電極部および四肢電極部（図４Ａ参照）と同様の胸部電極部および四肢電極部、および第３実施形態の生体情報計測シャツ５００における胸部呼吸情報センサ５０２（図１５Ａ参照）と同様の胸部呼吸情報センサを備えている。したがって、以下の説明では第１実施形態および第３実施形態と異なる部分を中心に説明する。
【０１５７】
図２１は、第４実施形態による生体情報計測シャツ６００の全体図である。生体情報計測シャツ６００は、胸部誘導セット６０３、四肢誘導セット６０４、胸部呼吸情報センサ６０１、腹部呼吸情報センサ６０２を備えている。胸部誘導セット６０３、四肢誘導セット６０４は、第１実施形態および第２実施形態で説明したものと同様であり、６個の胸部誘導用電極と４個の四肢誘導用電極とによって構成される。胸部呼吸情報センサ６０１および腹部呼吸情報センサ６０２は、第３実施形態で説明したものと同様である。ここでは、コネクタ類の説明を省略する。なお、四肢誘導用電極は、四肢誘導セット６０４に限らず、一般的な銀／塩化銀電極を採用してもよい。
【０１５８】
６−２．呼吸値計測処理
図２２〜図２４に基づいて、第４実施形態における解析装置１００のＣＰＵ１０が実行する呼吸値計測処理のプログラムのフローチャートを説明する。
【０１５９】
解析装置１００のＣＰＵ１０は、呼吸値計測処理を開始するとともにタイマをスタートする（ステップＳ４００）。ＣＰＵ１０は、胸部呼吸情報センサ６０１および腹部呼吸情報センサ６０２を介して、抵抗値データ（呼吸値データ）を取得してメモリ１６に記録する（Ｓ４０２）。このＳ４０２の処理は、第３実施形態において説明した呼吸値計測処理と同様である。
【０１６０】
ＣＰＵ１０は、被験者の体表面に接触する胸部誘導セット６０３、四肢誘導セット６０４及び増幅アンプ１１を介して胸部誘導の心電図を測定し、各胸部誘導毎に心電図データをメモリ１６に記録する（Ｓ４０４）。ＣＰＵ１０は、各胸部誘導毎に１心拍の波形を認識できたか否かを判断する（Ｓ４０６）。このステップＳ４０６の判断は、第１実施形態において説明した処理と同様である。Ｓ４０６において１心拍の波形を認識できなかったと判断した場合には、ＣＰＵ１０は再びＳ４０２からの処理を繰り返す。
【０１６１】
一方、Ｓ４０６において１心拍の波形が認識できたと判断した場合には、ＣＰＵ１０はタイマ値が１０秒以上であったか否かを判断する（Ｓ４０８）。タイマ値が１０秒以上でない場合には、ＣＰＵ１０は再びＳ４０２からの処理を繰り返す。
【０１６２】
Ｓ４０８の処理においてタイマ値が１０秒以上であると判断した場合には、ＣＰＵ１０は、タイマをリセットおよび再度スタートして（Ｓ４１０）、抵抗値データに対するフィルタ処理を行う（Ｓ４１２）。具体的には、例えばデジタルフィルタ処理（バンドパスフィルタ処理）により、ＣＰＵ１０は、周波数帯域０．１Ｈｚ〜３Ｈｚにおける振幅１０Ω（オーム）以上を基準とした抵抗値データの波形解析を行う。ＣＰＵ１０は、Ｓ４１２の処理に基づいて抵抗値の変動周期および抵抗値の振幅の各データを取得してメモリ１６に記録する（Ｓ４１４）。
【０１６３】
ＣＰＵ１０は、Ｓ４０６で認識した心拍のＲ波高データに対するフィルタ処理を行う（Ｓ４１６）。具体的には、例えばデジタルフィルタ処理により、ＣＰＵ１０は、周波数帯域０．１Ｈｚ〜３Ｈｚにおける振幅０．０５ｍＶ以上を基準としたＲ波高データの波形解析を行う。Ｒ波高データは、ＣＰＵ１０が認識した各Ｒ波の電位（Ｒ波高）の時間的な変化を示すデータである。実施形態では、例示としてＲ波高データの時間的な変化を波形として扱うものとしている。ＣＰＵ１０は、Ｓ４１６の処理に基づいてＲ波高の変動周期およびＲ波高の振幅の各データを取得してメモリ１６に記録する（Ｓ４１８）。
【０１６４】
Ｒ波高の変動周期は、Ｒ波高の時間的変化を波形で表した場合、例えば所定時間内の極大点の数を基準にして算出される。一般的に、被験者の呼吸動作に応じてＲ波高が変動する場合があることが知られている。実施形態では、呼吸数を推定するために利用可能なファクタとして、胸部呼吸情報センサ５０２等の抵抗値の変動周期に加えて、Ｒ波高の変動周期を採用することとしている。
【０１６５】
ＣＰＵ１０は、呼吸推定値決定処理を実行する（Ｓ５００）。
【０１６６】
図２３は、図２２のＳ５００においてサブルーチンとして示した呼吸推定値決定処理のプログラムのフローチャートである。ＣＰＵ１０は、抵抗値周期の平均値（以下、説明の便宜上「Ａ１」とも表示する。）、抵抗値振幅の平均値（以下、説明の便宜上「Ａ２」とも表示する。）を算出してメモリ１６に記録する（Ｓ５０２）。
【０１６７】
ＣＰＵ１０は、Ｒ波高周期の平均値（以下、説明の便宜上「Ｂ１」とも表示する。）、Ｒ波高振幅の平均値（以下、説明の便宜上「Ｂ２」とも表示する。）を算出してメモリ１６に記録する（Ｓ５０４）。
【０１６８】
なお、第４実施形態においては、図２１に示す複数の胸部誘導電極および四肢誘導電極に基づいて複数のＲ波高に関するデータが得られ、胸部呼吸情報センサ６０１および６０２の両者に基づいて複数の抵抗値に関するデータが得られる。以下の説明では、ＣＰＵ１０が、複数のＲ波高に関するデータの中から１つのＲ波高に関するデータを選択し、また、複数の抵抗値に関するデータの中から１つの抵抗値に関するデータを選択したものとして説明する。複数の胸部誘導電極から得られるＲ波高データの中から１つの誘導のＲ波高データを選択する処理、および胸部呼吸情報センサ６０１および６０２の抵抗値データの中のいずれかの抵抗値データを選択する処理は、例えば、Ｓ４１４、Ｓ４１８の処理で得られる各振幅の合計値が大きいものを採用するようにすればよい。具体的には、Ｓ４１４において、胸部呼吸情報センサ６０１由来の抵抗値の合計が１２であり、胸部呼吸情報センサ６０２由来の抵抗値の合計が１１．５であった場合には、ＣＰＵ１０は、胸部呼吸情報センサ６０１由来の抵抗値に関するデータのみについてＳ５００以降の処理を行う。その他、複数の胸部誘導電極および四肢誘導電極から得られるＲ波高データの中から１つの誘導のＲ波高データを選択する処理については、第２実施形態の心電図計測処理における図１１のステップＳ２５０で得られるＲＳ振幅値（またはＳ２５２で得られるＲＳ振幅値合計）を利用してもよい。具体的には、各胸部誘導毎に所定時間範囲のＲＳ振幅値の合計を演算し、その合計が最も大きい胸部誘導由来のＲ波高データを選択してＳ４１８以降の処理を行うようにすればよい。
【０１６９】
図２５Ａは、Ｓ４１８の処理後において抵抗値周期、抵抗値振幅、Ｒ波高周期、Ｒ波高振幅、及びそれらの平均値を記録したメモリ１６の記録内容例を示す図である。「Ｄａｔａ  Ｎｏ．（データ番号）」は、各周期を特定する番号である。ＣＰＵ１０は、メモリ１６内に、例えばミリ秒単位で抵抗値データおよびＲ波高データを記録し、両者の極大値の位置（または極小値の位置）の差が２００ミリ秒以内であるものに関する情報（周期、振幅等）を、図２５Ａに例示するテーブルにおける同一のデータ番号のカラムに記録する（極大値の位置、極小値の位置等に関する記録内容は、図２６参照）。抵抗値周期およびＲ波高周期は、例示として１秒間当たりの波形の振動数（単位：ヘルツ）で示す。
【０１７０】
ＣＰＵ１０は、Ａ１＝０であったか否か、およびＢ１＝０であったか否かを判断する（Ｓ５０６）。Ａ１＝０およびＢ１＝０であった場合には、ＣＰＵ１０は、呼吸推定値として「推定不能」を記録（Ｓ５０８）して図２２のＳ４２２からの処理を行う。Ａ１（抵抗値周期）＝０、Ｂ１（Ｒ波高周期）＝０の場合とは、図２２のＳ４１２、Ｓ４１６の各フィルタ処理において、波形解析結果として周期が得られなかった場合に該当する。具体的には、例えば抵抗値の場合、被験者の体動によって３Ｈｚ以上の周波数帯域の信号が強調された結果、周波数帯域０．１〜３ｋＨｚの間に１０Ω変動以上の振動を含む波形が解析できないときに抵抗値周期＝０となる。
【０１７１】
Ｓ５０６の処理において、Ｂ１＝０（Ａ１は０ではない）の場合には、ＣＰＵ１０は、呼吸推定値として「Ａ１」を記録（Ｓ５１０）して、図２２のＳ４２２からの処理を行う。Ｓ５０６の処理において、Ａ１＝０（Ｂ１は０ではない）の場合には、ＣＰＵ１０は、呼吸推定値として「Ｂ１」を記録（Ｓ５１２）して、図２２のＳ４２２からの処理を行う。この処理によって、抵抗値またはＲ波高の情報のいずれか一方が有効であれば、有効な方の情報が呼吸推定値として採用される。
【０１７２】
Ｓ５０６の処理において、Ａ１およびＢ１が０でない場合には、ＣＰＵ１０は、Ａ１とＢ１が等しかったか否かを判断する（Ｓ５１４）。Ａ１＝Ｂ１の場合には、ＣＰＵ１０は、呼吸推定値として「Ａ１」を記録（Ｓ５１８）して図２２のＳ４２２からの処理を行う。
【０１７３】
Ｓ５１４の処理において、Ａ１＝Ｂ１でなかったと判断した場合には、ＣＰＵ１０は、後述する「単位変換基準」がメモリ１６に記録されていたか否かを判断する（Ｓ５１６）。単位変換基準がメモリ１６に記録されていたと判断した場合には、ＣＰＵ１０は、Ａ２（またはＢ２）の単位変換処理を行う（Ｓ５２２）。この単位変換処理の詳細は後述する。
【０１７４】
Ｓ５１６の処理において単位変換基準がメモリ１６に記録されていなかったと判断した場合には、ＣＰＵ１０は、Ｓ５２０の単位変換基準取得処理を実行する。
【０１７５】
図２４は、図２３のＳ５２０においてサブルーチンとして示した単位変換基準取得処理のプログラムのフローチャートである。ＣＰＵ１０は、メモリ１６に記録されている抵抗値データ（図２２のＳ４０２参照）に基づいて、抵抗値の極大値（Ω）とその極大位置（単位：ミリ秒）、抵抗値の極小値（Ω）とその極小位置（ミリ秒）を演算してメモリ１６に記録する（Ｓ６０３）。抵抗値データの極大値および極小値等は、図１７に示す波形の各周期における極大値および極小値に相当する。
【０１７６】
ＣＰＵ１０は、メモリ１６に記録されているＲ波高データ（図２２のＳ４０４参照）に基づいて、Ｒ波高の極大値（ｍＶ）とその極大位置（ミリ秒）、Ｒ波高の極小値（ｍＶ）とその極小位置（ミリ秒）を演算してメモリ１６に記録する（Ｓ６０５）。Ｓ６０３およびＳ６０５の各波形解析は、例えば図２２のＳ４１２およびＳ４１４におけるフィルタ処理等を利用する。なお、図２２のＳ４１２、Ｓ４１６、図２４のＳ６０３、Ｓ６０５における波形解析手法は、上述したものに限られず、その他、Ｗａｖｅｌｅｔ（ウェーブレット）、ＦＦＴ（高速フーリエ変換）等の当業者に周知の波形解析手法を利用してもよい。
【０１７７】
図２６Ａは、ＣＰＵが演算した抵抗値（極大値、極大位置（測定時間情報）、極小値、極小位置（測定時間情報））およびＲ波高（極大値、極大位置、極小値、極小位置）の記録内容例を示す図である。「Ｄａｔａ  Ｎｏ．」は、個々の呼吸（個々の呼吸動作）を特定するための番号である。
【０１７８】
ＣＰＵ１０は、測定時間３分以上に相当する間における極大および極小値のデータがメモリ１６に記録されたか否かを判断する（Ｓ６０７）。測定時間３分以上に相当するデータが記録されていなかったと判断した場合には、ＣＰＵ１０は、図２２のＳ４０２からの処理を繰り返す。測定時間３分以上に相当するデータが記録されたと判断した場合には、ＣＰＵ１０は、抵抗値の極大位置とＲ波高の極大位置との誤差が５０ミリ秒以下であり、かつ、抵抗値の極小位置とＲ波高の極小位置との誤差が５０ミリ秒以下である呼吸データを選択する（Ｓ６０９）。図２６Ａの場合、Ｄａｔａ  Ｎｏ．「１５０１」の呼吸データは、極大値誤差４ミリ秒（＝｜２５０２（ミリ秒）−２４９８（ミリ秒）｜）、極小値誤差７ミリ秒（＝｜４４０２−４３９５｜））であるから選択対象となる。また、「１５４３」の呼吸データも同様に選択対象となる。なお実施形態では、Ｓ６０７において測定時間３分以上に相当する間における極大および極小値のデータがメモリ１６に記録されたか否かを判断することとしたが、その他任意の時間を採用してもよい。また、Ｓ６０９において誤差が「５０ミリ秒以下」の呼吸データを選択するものとしたが、これは、抵抗値データの極大位置（または極小位置）と、Ｒ波高データの極大位置（または極小位置）とがおおよそ一致するときの呼吸データを選択するための基準である。したがって、両者がおおよそ一致するときの呼吸データを選択する目的範囲内で、「５０ミリ秒」以外の任意の時間を採用してもよい。
【０１７９】
ＣＰＵ１０は、Ｓ６０９で選択された抵抗値データの極大値の平均値（極大平均値）および極小値の平均値（極小平均値）を算出する（Ｓ６１１）。ここでは、図２６Ａのデータ番号１５０１、１５４３を含む呼吸データが選択されているものとする。ＣＰＵ１０は、極大平均値と極小平均値との差を演算し、演算結果を「抵抗値の基準振幅値」としてメモリ１６に記録する（Ｓ６１３）。
【０１８０】
ＣＰＵ１０は、Ｓ６０９で選択されたＲ波高データの極大値の平均値（極大平均値）および極小値の平均値（極小平均値）を算出する（Ｓ６１５）。ＣＰＵ１０は、極大平均値と極小平均値との差を演算し、演算結果を「Ｒ波高の基準振幅値」としてメモリ１６に記録する（Ｓ６１７）。図２６Ｂは、Ｓ６１７の処理後においてＣＰＵ１０が演算した各値の記録内容例を示す図である。
【０１８１】
ＣＰＵ１０は、抵抗値の基準振幅値と、Ｒ波高の基準振幅値との比を「単位変換基準」としてメモリ１６に記録する。ここでは例示として、単位変換基準＝（抵抗値の基準振幅値）／（Ｒ波高の基準振幅値）として演算する。  図２６Ｃは、Ｓ６１９の処理後においてＣＰＵ１０が演算した各値の記録内容を示す図である。ここでは、抵抗値の基準振幅値＝１１．２（Ω）、Ｒ波高の基準振幅値（０．２４ｍＶ）、単位変換基準＝２４が記録されたものとする。
【０１８２】
ＣＰＵ１０は、Ｓ６１９の処理の後、図２３のＳ５２２に示すＡ２（またはＢ２）の単位変換のための演算を行う。図２５Ｂは、Ｓ５２２の処理後に得られる各値を記録したメモリ１６の記録内容例を示す図である。具体的には、図２３のＳ５０２で算出された抵抗値振幅の平均値（Ａ２）、Ｓ５０４で算出されたＲ波高振幅の平均値（Ｂ２）に加えて、単位変換後のＲ波高振幅がメモリ１６に記録される。単位変換後のＲ波高振幅は、ＣＰＵ１０が、Ｂ２（単位：ｍＶ）に対して（単位変換基準取得処理によって得られた）単位変換基準（ここでは４７）を乗じることによって算出する。
【０１８３】
実施形態では、測定を開始して最初の３分以上のデータを利用して単位変換基準を取得することとしたが、これに限られるものではない。その他の実施形態として、所定時間の経過後に単位変換基準取得処理（図２４）を実行して単位変換基準を更新し続けるようにしてもよい。
【０１８４】
実施形態では、単位変換基準として「Ｒ波高の基準振幅値」に対する「抵抗値の基準振幅値」の比を採用したが、これに限らず、「抵抗値の基準振幅値」に対する「Ｒ波高の基準振幅値」の比を採用してもよい。また、単位変換基準としてあらかじめ固定の係数を設定しておき、単位変換基準取得処理（図２４）を省略してもよい。
【０１８５】
ＣＰＵ１０は、Ａ２が単位変換後のＢ２以上であったか否かを判断する（Ｓ５２４）。Ａ２が単位変換後のＢ２以上であったと判断した場合には、ＣＰＵ１０は、呼吸推定値として「Ａ１」を記録する（Ｓ５２６）して、図２２のＳ４２２からの処理を行う。Ａ２が単位変換後のＢ２よりも小さかったと判断した場合には、ＣＰＵ１０は、呼吸推定値として「Ｂ１」を記録する（Ｓ５２８）して、図２２のＳ４２２からの処理を行う。以上の単位変換基準取得処理（図２３のＳ５２０）およびＳ５２２、Ｓ５２４、Ｓ５２６、Ｓ５２８の処理により、抵抗値周期の平均値（Ａ２）とＲ波高周期の平均値（Ｂ２）とが相違する場合に、それら両者の中から、それぞれの振幅（所定時間範囲における平均振幅値）が大きいものに対応する方を選択する。抵抗値の振幅またはＲ波高の振幅が大きいものに対応する方を選択したうえで、その周期を呼吸推定値として採用することにより、一般的には、被験者の呼吸動作を感度良く取得することができる。
【０１８６】
ＣＰＵ１０は、Ｓ５００に示す呼吸推定値決定処理の後、メモリ１６に記録された呼吸推定値に基づく呼吸数等をディスプレイ１４に出力する（Ｓ４２２）。ここでは、呼吸推定値は周期（単位：ヘルツ）であるから、呼吸数（１分間当たり）を出力する場合は、ＣＰＵ１０は呼吸推定値×６０を演算する。例えば、図２５Ｂに示すデータの場合、図２３のＳ５２４の処理においてＡ２がＢ２より小さいと判断され、呼吸推定値として「０．２５（図２５Ａに示すＲ波高周期の平均値）」が記録される。この場合ＣＰＵ１０は、呼吸数として１５（＝０．２５×６０）をディスプレイ１４に表示する。
【０１８７】
図２７は、第４実施形態による呼吸値計測処理中のディスプレイ１４の画面表示例である。呼吸情報表示エリア６５０には、呼吸数と、その呼吸数を計測する根拠となった位置（計測位置）が表示される。計測位置は、例えば、図２１に示す胸部誘導セット６０３、四肢誘導セット６０４、胸部呼吸情報センサ６０１、腹部呼吸情報センサ６０２の中から、ディスプレイ表示中の呼吸数の由来となったものを表示する。図２５Ｂに示すＲ波高振幅の由来が腹部呼吸情報センサ６０２であった場合には、呼吸情報表示エリア６５０に「計測位置：腹部呼吸情報センサ」を表示する。計測位置の表示はこれに限られず、例えば図１３Ａの測定位置ガイド４８０に類似する表示方法（計測位置を被験者の体型模式図に対して物理的に対応付けて表示する方法）を採用してもよい。
【０１８８】
６−３．実施形態による効果
実施形態では、通電状態における胸部呼吸情報センサ６０１（または腹部呼吸情報センサ６０２）の抵抗値変動の情報に加えて、胸部電極部および四肢誘導電極から得られるＲ波高の変動の情報を利用して呼吸値を計測する。したがって、例えば被験者の体動等を原因として抵抗値変動の情報が呼吸動作を正確に反映していない場合であっても、Ｒ波高変動の情報を選択的に利用することによって呼吸値の情報を得ることができる。
【０１８９】
６−４．第４実施形態のバリエーション
第４実施形態では、呼吸値計測処理の出力内容として「呼吸数」を例示したが、これに限られるものではない。その他の実施形態として「呼吸深度」を出力するようにしてもよい。例えば、図２２のステップＳ４１４で得られる抵抗振幅値、またはＳ４１８で得られるＲ波振幅の各値は、被験者の呼吸深度に比例するのが一般的である。具体的には、被験者の呼吸深度が高くなると、例えば胸囲長（図２１の胸部呼吸情報センサ６０１の長さ）の変動が大きくなりその結果抵抗振幅値が増加する。したがって、呼吸深度は、被験者の通常状態における抵抗振幅値（またはＲ波高振幅）に対する、測定時における抵抗振幅値（またはＲ波高振幅）の割合に基づいて演算することができる。これにより、例えば運動中、または運動後、またはぜんそく状態、または睡眠状態等における呼吸深度の情報を得ることができる。
【０１９０】
−−７．その他の実施形態等−−
上記説明においては、第１〜第４実施形態を個別の実施例として説明したが、これに限らず、それら各実施形態に含まれる各技術的要素を組み合わせて実施してもよい。例えば、第１（または第２）実施形態と、第３（または第４）実施形態とを組み合わせた実施例の場合、心電図の測定と呼吸値の測定とを同時に行うことができる。
【０１９１】
上記各実施形態では、ＣＰＵ１０の動作のためのプログラムをＦ−ＲＯＭ１７に記憶させている。プログラムの記憶場所はこれに限らず、ハードディスク等を含めたその他の記録手段を利用してもよい。ＣＰＵ１０の動作のためのプログラムは、プログラムが記憶されたＣＤ−ＲＯＭから読み出してハードディスク等にインストールすればよい。プログラムは、ＣＤ−ＲＯＭ以外に、ＤＶＤ−ＲＯＭ、またはフレキシブルディスク（ＦＤ）、またはＩＣカード等のコンピュータ可読の記録媒体からインストールするようにしてもよい。さらに、通信回線を用いてプログラムをダウンロードさせることもできる。また、ＣＤ−ＲＯＭからプログラムをインストールすることにより、ＣＤ−ＲＯＭに記憶させたプログラムを間接的にコンピュータに実行させるようにするのではなく、ＣＤ−ＲＯＭに記憶させたプログラムを直接的に実行するようにしてもよい。
【０１９２】
なお、コンピュータによって実行可能なプログラムとしては、ＣＰＵによって直接実行可能なプログラムだけではなく、ソース形式のプログラム、一旦他の形態等に変換が必要なもの（例えば、圧縮処理がされたプログラム、暗号化プログラム）、さらには、他のモジュール部分と組み合わして実行可能なプログラムも含む。
【０１９３】
上記各実施形態では、図２の各機能をＣＰＵおよびプログラムによって実現することとしているが、各機能の一部または全部をハードウェアロジック（論理回路）によって構成してもよい。
【図１】
0005497685.tif 000002
【図２】
0005497685.tif 000003
【図３】
0005497685.tif 000004
【図４】
0005497685.tif 000005
【図５】
0005497685.tif 000006
【図６】
0005497685.tif 000007
【図７】
0005497685.tif 000008
【図８】
0005497685.tif 000009
【図９】
0005497685.tif 000010
【図１０】
0005497685.tif 000011
【図１１】
0005497685.tif 000012
【図１２】
0005497685.tif 000013
【図１３】
0005497685.tif 000014
【図１４】
0005497685.tif 000015
【図１５】
0005497685.tif 000016
【図１６】
0005497685.tif 000017
【図１７】
0005497685.tif 000018
【図１８】
0005497685.tif 000019
【図１９】
0005497685.tif 000020
【図２０】
0005497685.tif 000021
【図２１】
0005497685.tif 000022
【図２２】
0005497685.tif 000023
【図２３】
0005497685.tif 000024
【図２４】
0005497685.tif 000025
【図２５】
0005497685.tif 000026
【図２６】
0005497685.tif 000027
【図２７】
0005497685.tif 000028